(57)【要約】【課題】実施の形態は、通信システム内のデータの無線送信のための送信方法を提供する。【解決手段】方法は、基準信号と時間同期する態様で、周波数ホッピングパターンおよび／または時間ホッピングパターンを使いながら、データを送信するステップを含む。【選択図】図１
2019536390.tif 000002
【特許請求の範囲】
【請求項１】
データ（１２０）を、周波数ホッピングパターン（１４０）および／または時間ホッピングパターン（１４０）を使いながら、基準信号（１３０）と時間同期させて送信するように構成される、データ送信機（１００）。
【請求項２】
前記データ（１２０）がプリアンブルシンボルを含む、請求項１に記載のデータ送信機（１００）。
【請求項３】
前記データ送信機（１００）は、さらに、前記データ（１２０）を、前記周波数ホッピングパターン（１４０）および／または時間ホッピングパターン（１４０）を使いながら、前記基準信号（１３０）と周波数同期させて送信するように構成される、請求項１または請求項２に記載のデータ送信機（１００）。
【請求項４】
前記データ（１２０）は少なくとも２つのデータパケット（１４２；１４４）を含み、前記データ送信機（１００）は、前記周波数ホッピングパターン（１４０）および／または時間ホッピングパターン（１４０）に従って前記少なくとも２つのデータパケット（１４２；１４４）を送出するように構成される、請求項１〜請求項３のいずれか１つに記載のデータ送信機（１００）。
【請求項５】
前記データ（１２０）が電文であり、前記データ送信機（１００）は、前記電文を前記少なくとも２つのデータパケット（１４２；１４４）に分割するように構成され、前記少なくとも２つのデータパケット（１４２；１４４）のそれぞれは前記電文より短い、請求項４に記載のデータ送信機（１００）。
【請求項６】
前記データ送信機（１００）は前記基準信号（１３０）自体を送信するように構成され、前記基準信号（１３０）はプリアンブルであり、
前記データ送信機（１００）は、前記プリアンブルが、前記受信機側において、完全な検出のために適するように、前記プリアンブル（１３０）を送出するように構成される、請求項１〜請求項５のいずれか１つに記載のデータ送信機（１００）。
【請求項７】
前記データ送信機（１００）は、前記プリアンブル（１３０）を一括して送信するように構成される、請求項６に記載のデータ送信機（１００）。
【請求項８】
前記データ送信機（１００）は、前記データ（１２０）の前および／または後ろに前記プリアンブル（１３０）を送信するように構成される、請求項６または請求項７に記載のデータ送信機（１００）。
【請求項９】
前記データ送信機（１００）は、前記プリアンブル（１３０）の送信が前記データ（１２０）の送信によって重複されないように、前記データ（１２０）の間に、前記プリアンブル（１３０）を少なくとも部分的に送出するように構成される、請求項６または請求項７に記載のデータ送信機（１００）。
【請求項１０】
前記データ送信機（１００）は、前記データ（１２０）のために使われたデータ転送速度より低いデータ転送速度で、前記プリアンブル（１３０）を送信するように構成される、請求項６〜請求項９のいずれか１つに記載のデータ送信機（１００）。
【請求項１１】
前記データ送信機（１００）は、前記データ（１２０）のために使われた変調タイプまたは変調方法とは異なる変調タイプまたは変調方法によって、前記プリアンブル（１３０）を送信するように構成される、請求項６〜請求項１０のいずれか１つに記載のデータ送信機（１００）。
【請求項１２】
前記データ送信機（１００）は、前記プリアンブル（１３０）と共に別のデータ（１５２）を送信するように構成される、請求項６〜請求項１１のいずれか１つに記載のデータ送信機（１００）。
【請求項１３】
前記プリアンブルと共に送信された前記別のデータ（１５２）の少なくとも一部分は、前記データ（１２０）の前記周波数ホッピングパターン（１４０）および／または時間ホッピングパターン（１４０）に関する情報を含む、請求項１２に記載のデータ送信機（１００）。
【請求項１４】
前記基準信号（１３０）は少なくとも２つのプリアンブル（１３０＿１：１３０＿３）を含む、請求項６〜請求項１３のいずれか１つに記載のデータ送信機（１００）。
【請求項１５】
前記データ送信機（１００）は、前記同じプリアンブルを少なくとも２回送出するように構成される、請求項１４に記載のデータ送信機（１００）。
【請求項１６】
前記データ送信機（１００）は、異なる変調タイプまたは変調方法と共に、前記少なくとも２つのプリアンブル（１３０＿１：１３０＿３）を送出するように構成される、請求項１４または請求項１５に記載のデータ送信機（１００）。
【請求項１７】
前記データ送信機（１００）は、異なるデータ転送速度で、前記少なくとも２つのプリアンブル（１３０＿１：１３０＿３）を送信するように構成される、請求項１４〜請求項１６のいずれか１つに記載のデータ送信機（１００）。
【請求項１８】
前記データ送信機（１００）は、前記少なくとも２つのプリアンブル（１３０＿１：１３０＿３）が、前記受信機側でそれぞれの場合において完全な検出に適するように、前記少なくとも２つのプリアンブル（１３０＿１：１３０＿３）を送出するように構成される、請求項１４〜請求項１７のいずれか１つに記載のデータ送信機（１００）。
【請求項１９】
前記データ送信機（１００）は、前記少なくとも２つのプリアンブル（１３０＿１：１３０＿３）のうちの第１のプリアンブル（１３０＿１）が、前記受信機側で粗な検出にだけ適するように、かつ、前記少なくとも２つのプリアンブル（１３０＿１：１３０＿３）のうちの第２のプリアンブル（１３０＿２）が、前記受信機側で完全な検出に適するように、前記少なくとも２つのプリアンブル（１３０＿１：１３０＿３）を送出するように構成される、請求項１４〜請求項１７のいずれか１つに記載のデータ送信機（１００）。
【請求項２０】
前記データ送信機（１００）は、前記少なくとも２つのプリアンブル（１３０＿１：１３０＿３）のうちの第１のプリアンブル（１３０＿１）と共に別のデータ（１５２）を送出するように構成され、前記第１のプリアンブル（１３０＿１）と共に送出された前記別のデータ（１５２）は、前記少なくとも２つのプリアンブル（１３０＿１：１３０＿３）のうちの第２のプリアンブル（１３０＿２）に関する情報を含む、請求項１４〜請求項１９のいずれか１つに記載のデータ送信機（１００）。
【請求項２１】
前記少なくとも２つのプリアンブル（１３０＿１：１３０＿３）の間の時間間隔または周波数間隔は、固定的に定義されるか、または、請求項１９に記載された前記別のデータ（１５２）内に含まれた情報によってシグナリングされる、請求項１４〜請求項２０のいずれか１つに記載のデータ送信機（１００）。
【請求項２２】
前記データ送信機（１００）は、前記少なくとも２つのプリアンブル（１３０＿１：１３０＿３）のうちの１つを、少なくとも２つの部分プリアンブルに分離するように、かつ、互いの時間および／または周波数間隔で前記少なくとも２つの部分プリアンブルを送出するように構成される、請求項１４〜請求項２１のいずれか１つに記載のデータ送信機（１００）。
【請求項２３】
前記データ送信機（１００）は、前記少なくとも２つのデータパケット（１４２；１４４）に、前記少なくとも２つの部分プリアンブルを提供するように構成される、請求項５または請求項２２に記載のデータ送信機（１００）。
【請求項２４】
前記データ送信機（１００）は、前記基準信号（１３０）自体を送信するように構成され、前記基準信号（１３０）は時間的に決定論的手法で繰り返される信号である、請求項１〜請求項５のいずれか１つに記載のデータ送信機（１００）。
【請求項２５】
前記データ送信機（１００）は、前記データ（１２０）の前および／または後ろに、前記基準信号（１３０）を送信するように構成される、請求項２４に記載のデータ送信機（１００）。
【請求項２６】
前記データ送信機（１００）は、前記基準信号（１３０）の送出が、前記データ（１２０）の送信によって重複しないように、前記データ（１２０）の間に少なくとも部分的に、前記基準信号（１３０）を送信するように構成される、請求項２４または請求項２５に記載のデータ送信機（１００）。
【請求項２７】
前記データ送信機（１００）は、前記データ（１２０）のために使われたデータ転送速度と異なるデータ転送速度で、前記基準信号（１３０）を送信するように構成される、請求項２４〜請求項２６のいずれか１つに記載のデータ送信機（１００）。
【請求項２８】
前記データ送信機（１００）は、前記データ（１２０）のために使われた変調タイプまたは変調方法とは異なる変調タイプまたは変調方法で、前記基準信号（１３０）を送信するように構成される、請求項２４〜請求項２７のいずれか１つに記載のデータ送信機（１００）。
【請求項２９】
前記データ送信機（１００）は、前記基準信号（１３０）と共に別のデータ（１５２）を送信するように構成される、請求項２４〜請求項２８のいずれか１つに記載のデータ送信機（１００）。
【請求項３０】
前記基準信号（１３０）と共に送信された前記別のデータ（１５２）の少なくとも一部分は、前記データ（１２０）の前記周波数ホッピングパターン（１４０）および／または時間ホッピングパターン（１４０）に関する情報を含む、請求項２９に記載のデータ送信機（１００）。
【請求項３１】
前記データ送信機（１００）は、異なるデータ送信機（１００）から前記基準信号（１３０）を受信するように構成された受信機を含む、請求項１〜請求項４のいずれか１つに記載のデータ送信機（１００）。
【請求項３２】
前記基準信号（１３０）は、時間的に決定論的手法で繰り返される信号である、請求項３１に記載のデータ送信機（１００）。
【請求項３３】
前記周波数ホッピングパターン（１４０）は、前記データ（１２０）が送信されるべき、送信周波数のシーケンスまたは送信周波数ホップを定義する、請求項１〜請求項３２のいずれか１つに記載のデータ送信機（１００）。
【請求項３４】
前記時間ホッピングパターン（１４０）は、前記データ（１２０）が送信されるべき、送信時間のシーケンスまたは送信時間間隔を定義する、請求項１〜請求項３３のいずれか１つに記載のデータ送信機（１００）。
【請求項３５】
前記データ送信機（１００）は、より高いコード利得が、前記受信機側で、チャンネル符号化されたデータを結合することによって達成されるように、前記データ（１２０）をチャンネル符号化し、かつ、少なくとも前記チャンネル符号化されたデータの少なくとも一部分を２回送信するように構成される、請求項１〜請求項３４のいずれか１つに記載のデータ送信機（１００）。
【請求項３６】
基準信号（１３０）と時間同期させて、周波数ホッピングパターン（１４０）および／または時間ホッピングパターン（１４０）を使いながら、データ（１２０）を受信するか、または、バッファから前記データ（１２０）を取り出すように構成された、データ受信機（１１０）。
【請求項３７】
前記データ受信機（１１０）は、さらに、前記基準信号（１３０）と周波数同期させて、前記周波数ホッピングパターン（１４０）および／または時間ホッピングパターン（１４０）を使いながら、前記データ（１２０）を受信するか、または、前記バッファから前記データ（１２０）を取り出すように構成される、請求項３６に記載のデータ受信機（１１０）。
【請求項３８】
前記データ（１２０）は少なくとも２つのデータパケット（１４２；１４４）を含み、前記データ受信機（１１０）は、前記周波数ホッピングパターン（１４０）および／または時間ホッピングパターン（１４０）に従って、前記少なくとも２つのデータパケット（１４２；１４４）を受信するか、または、前記バッファから前記少なくとも２つのデータパケット（１４２；１４４）を取り出すように構成される、請求項３６または請求項３７に記載のデータ受信機（１１０）。
【請求項３９】
前記データ（１２０）は、前記少なくとも２つのデータパケット（１４２；１４４）に分割される電文であり、前記少なくとも２つのデータパケットのそれぞれは電文より短く、
前記データ送信機（１１０）は、前記電文を得るために、前記少なくとも２つのデータパケット（１４２；１４４）を結合するように構成される、請求項３８に記載のデータ受信機（１１０）。
【請求項４０】
前記基準信号（１３０）がプリアンブルである、請求項３６〜請求項３９のいずれか１つに記載のデータ受信機（１１０）。
【請求項４１】
前記プリアンブル（１３０）は、別のデータ（１５２）と共に受信されるかまたは前記バッファから取り出される、請求項４０に記載のデータ受信機（１１０）。
【請求項４２】
前記プリアンブル（１３０）と共に受信されるかまたは前記バッファから取り出される前記別のデータ（１５２）は、前記周波数ホッピングパターン（１４０）および／または時間ホッピングパターン（１４０）に関する情報を含み、
前記データ受信機（１１０）は、前記周波数ホッピングパターン（１４０）および／または時間ホッピングパターン（１４０）に関する情報を使いながら、前記データ（１２０）を受信するか、または、前記データ（１２０）を前記バッファから取り出すように構成される、請求項４１に記載のデータ受信機（１１０）。
【請求項４３】
前記基準信号（１３０）は２つのプリアンブル（１３０＿１：１３０＿３）を含む、請求項４０〜請求項４２のいずれか１つに記載のデータ受信機（１１０）。
【請求項４４】
前記少なくとも２つのプリアンブル（１３０＿１：１３０＿３）のうちの第１のプリアンブル（１３０＿１）が粗い検出に適し、前記少なくとも２つのプリアンブル（１３０＿１：１３０＿３）のうちの第２のプリアンブル（１３０＿２）が完全な検出に適し、
前記データ受信機（１１０）は、前記第１のプリアンブル（１３０＿１）を使いながら粗い検出を実行し、かつ、前記第２のプリアンブル（１３０＿２）を使いながら完全な検出を実行するように構成される、請求項４３に記載のデータ受信機（１１０）。
【請求項４５】
別のデータ（１５２）は、前記少なくとも２つのプリアンブル（１３０＿１：１３０＿３）のうちの第１のプリアンブル（１３０＿１）と共に、受信されるか、または、前記バッファから取り出され、前記別のデータ（１５２）は、前記少なくとも２つのプリアンブル（１３０＿１：１３０＿３）のうちの第２のプリアンブル（１３０＿２）に関する情報を含み、
前記データ受信機（１１０）は、受信データストリームの中の前記第２のプリアンブル（１３０＿２）に関する情報を使いながら、前記第２のプリアンブル（１３０＿２）を検出するように構成される、請求項４３または請求項４４に記載のデータ受信機（１１０）。
【請求項４６】
前記少なくとも２つのプリアンブル（１３０＿１：１３０＿３）の間の時間間隔または周波数間隔は、固定的に定義されるか、または、請求項４５に記載の前記別のデータ（１５２）内に含まれた前記情報によってシグナリングされる、請求項４３〜請求項４５のいずれか１つに記載のデータ受信機（１１０）。
【請求項４７】
前記少なくとも２つのプリアンブル（１３０＿１：１３０＿３）のそれぞれは、完全な検出に適し、
前記データ受信機（１１０）は、前記少なくとも２つのプリアンブル（１３０＿１：１３０＿３）のうちの１つの成功している完全な検出の場合には、直ちに前記データ（１２０）を受信するように構成され、
前記データ受信機（１１０）は、前記少なくとも２つのプリアンブル（１３０＿１：１３０＿３）のうちの１つの成功していない完全な検出の場合には、前記少なくとも２つのプリアンブル（１３０＿１：１３０＿３）のうちの別のプリアンブルの検出を実行するように構成され、
前記データ受信機（１１０）は、前記少なくとも２つのプリアンブル（１３０＿１：１３０＿３）のうちの１つの成功していない完全な検出の場合には、検出を実行するために、前記少なくとも２つのプリアンブル（１３０＿１：１３０＿３）のうちの前記少なくとも２つのプリアンブルを結合するように構成される、請求項４３〜請求項４６のいずれか１つに記載のデータ受信機（１１０）。
【請求項４８】
前記データ受信機（１１０）は前記基準信号（１３０）自体を送信するように構成される、請求項３６〜請求項４７のいずれか１つに記載のデータ受信機（１１０）。
【請求項４９】
前記基準信号（１３０）は時間的に決定論的手法で繰り返される信号である、請求項４８に記載のデータ受信機（１１０）。
【請求項５０】
請求項１〜請求項３５のいずれか１つに記載のデータ送信機（１００）と、
請求項３６〜請求項４９のいずれか１つに記載のデータ受信機（１１０）とを含む、システム。
【請求項５１】
データを送信する方法（２００）であって、
基準信号と時間同期させて、周波数ホッピングパターンおよび／または時間ホッピングパターンを使いながら、データを送信するステップ（２０２）を含む、方法（２００）。
【請求項５２】
データを受信する方法（２１０）であって、
基準信号と時間同期する態様で、周波数ホッピングパターンおよび／または時間ホッピングパターンを使いながら、データを受信するステップ（２１２）を含む、方法（２１０）。
【請求項５３】
請求項５１または請求項５２に記載の方法を実行するためのコンピュータプログラム。
【請求項５４】
データおよびプリアンブルを送信するように構成されたセンサーノードであって、
前記センサーノードは、プリアンブルのために使われた送信方法とは異なる送信方法によって、前記データを送信するように構成される、センサーノード。
【発明の詳細な説明】
【技術分野】
【０００１】
本願発明の実施の形態は、データを送信するためのデータ送信機に関する。別の実施の形態は、データを受信するためのデータ受信機に関する。幾つかの実施の形態は、電文分割方法に基づいて低電力消費量を持つセンサーネットワークのためのプリアンブルとデータフィールドとの最適な結合に関する。
【背景技術】
【０００２】
特許文献１は、電池で動作する送信機のための方法を記載する。データパケットは、送信されるべき実際の情報より小さい送信パケットにサブ分割される（いわゆる電文分割）。電文はいくつかのサブパケットに分割される。そのようなサブパケットはホップと称される。いくつかの情報シンボルは１つのホップにおいて送信される。ホップは、１つの周波数で送信されるか、または、幾つかの周波数にわたって分配される（いわゆる周波数ホッピング）。ホップの間には、送信が起きない休止期間がある。
【０００３】
典型的なセンサーネットワークにおいて、数十万のセンサーノードが、ただ１つの基地局によってカバーされる。センサーノードは非常に小さい電池を含むだけであるので、送信の調整は多くの場合において殆んど不可能である。電文分割方法によって、非常に高い送信信頼性がこの目的のために達成される。
【０００４】
特許文献２は、エネルギー源として環境発電（energy harvesting）要素を含むデータ送信配置を記載する。データ送信配置は、電文分割方法を使いながら、データを送信するように構成され、送信されるべきサブパケットは、エネルギー供給手段によって提供された電気エネルギー量に応じて、送信されるか、または、バッファされて後で送信されるか、または、破棄される。
【０００５】
非特許文献１は、電文分割方法を使う低エネルギーの遠隔測定システムのための改良された範囲を記載する。
【０００６】
非特許文献２は、電文分割方法を使う低エネルギーの遠隔測定システムのための改良された転送信頼性を記載する。
【０００７】
特許文献３は、複数の基地局および複数のエンドポイントから成る無線通信システムを記載する。通信システムは、データが続いているＣＳＳ変調されたプリアンブル（ＣＳＳ＝チャープ拡散スペクトラム）を持つ電文を使う。データはプリアンブルより低い帯域幅で変調される。
【先行技術文献】
【特許文献】
【０００８】
【特許文献１】ドイツ国特許公開公報、ＤＥ  １００  ２０１１  ０８２  ０９８  Ｂ４
【特許文献２】国際特許公開公報、ＷＯ  ２０１５／１２８３８５  Ａ１
【特許文献３】米国特許公開公報、２０１６／００９４２６９  Ａ１
【非特許文献】
【０００９】
【非特許文献１】出版物［Ｇ．キリアン、Ｈ．ペトコフ、Ｒ．プシューク、Ｈ．リースケ、Ｆ．ビール、Ｊ．ロバート、およびＡ．ホイベルガー、「電文分割を用いる低電力の遠隔測定システムのための改良された範囲」、スマートオブジェクト、システム、およびテクノロジー（ＳｍａｒｔＳｙｓＴｅｃｈ）の２０１３年ヨーロッパ会議の議事録、２０１３年］
【非特許文献２】出版物［Ｇ．キリアン、Ｍ．ブレイリング、Ｈ．Ｈ．ペトコフ、Ｈ．リースケ、Ｆ．ビール、Ｊ．ロバート、およびＡ．ホイベルガー、「電文分割を用いる遠隔測定システムのための増大する送信信頼性」、コミュニケーションのＩＥＥＥ会報、６３巻、Ｎｏ．３、９４９−９６１ページ、２０１５年３月］
【発明の概要】
【発明が解決しようとする課題】
【００１０】
従って、本発明の目的は、データを検出するための基地局の側において、増大した計算パワーを必要としないで、センサーノードから基地局への送信データの送信信頼性を増大させる概念を提供することである。
【課題を解決するための手段】
【００１１】
この目的は独立請求項によって達成される。
有利な実施は、従属請求項において見付けられる。
【００１２】
実施の形態は、データを、周波数ホッピングパターンおよび／または時間ホッピングパターンを使いながら、基準信号と時間同期させて、データを送信するように構成されたデータ送信機を提供する。
【００１３】
実施の形態は、周波数ホッピングパターンおよび／または時間ホッピングパターンを使いながら、基準信号と時間同期させて、データを受信するか、または、データをバッファから取り出すように構成されたデータ受信機を提供する。
【００１４】
本発明は、周波数ホッピングパターンおよび／または時間ホッピングパターンを使いながら、基準信号と時間同期させて、データを送信するアイデアに基づく。周波数ホッピングパターンおよび／または時間ホッピングパターンを使うことによって、送信信頼性は増加する。なぜなら、周波数ホッピングパターンおよび／または時間ホッピングパターンによって予め決められた、全ての送信周波数および／または全ての送信時間が干渉によって妨げられる確率は、単に１つの送信周波数および／または単に１つの送信時間が干渉によって妨げられる確率より小さいからである。さらに、データ受信機の部分において、データを検出するために必要な計算パワーは減少される。なぜなら、データは、基準信号と時間同期させて送出されるからである。基準信号は、データ送信機によってそれ自身を送出するか、または、検出し易いかのどちらかである。
【００１５】
別の実施の形態は、データを送信する方法を提供する。方法は、基準信号と時間同期させて、周波数ホッピングパターンおよび／または時間ホッピングパターンを使いながら、データを送信するステップを含む。
【００１６】
別の実施の形態は、データを受信する方法を提供する。方法は、基準信号と時間同期させて、周波数ホッピングパターンおよび／または時間ホッピングパターンを使いながら、データを受信するステップを含む。
【００１７】
別の実施の形態は、通信システム（例えば、センサーネットワークまたは遠隔計測システム）内のデータの無線送信のための送信方法を提供する。方法は、基準信号と時間同期する態様で、周波数ホッピングパターンおよび／または時間ホッピングパターンを使いながら、データを送信するステップを含む。
【００１８】
データ送信機の好ましい実施の形態は以下に説明される。
【００１９】
実施の形態において、データ送信機は、周波数ホッピングパターンおよび／または時間ホッピングパターンを使いながら、基準信号と時間同期および／または周波数同期させて、データを送出するように構成できる。
【００２０】
例えば、データ送信機は、基準信号とデータの送信とが時間同期するように、送信時間、または、データを送信するための送信時間を、基準信号の時間に時間的に適合させるように構成できる。
【００２１】
さらに、データ送信機は、基準信号とデータの送信とが周波数同期するように、送信周波数および／またはデータを送信するための送信周波数を、基準信号の周波数に適合させるように構成できる。
【００２２】
実施の形態において、周波数ホッピングパターンは、データが送信されるべき送信周波数のシーケンスまたは送信周波数ホップを示す。
【００２３】
例えば、データの第１の部分は、第１の送信周波数で（または第１の周波数チャンネル内で）送信でき、かつ、データの第２の部分は、第２の送信周波数で（または第２の周波数チャンネル内で）送信でき、第１の送信周波数と第２の送信周波数とは異なる。この文脈において、周波数ホッピングパターンは、第１の送信周波数および第２の送信周波数を定義できる（または特定できる、または示し得る）。あるいは、周波数ホッピングパターンは、第１の送信周波数、および、第１の送信周波数と第２の送信周波数との間の周波数間隔（送信周波数ホップ）を示し得る。もちろん、周波数ホッピングパターンは、第１の送信周波数と第２の送信周波数との間の周波数間隔（送信周波数ホップ）だけを示し得る。
【００２４】
実施の形態において、時間ホッピングパターンは、データが送信されるべき送信時間のシーケンスまたは送信時間間隔を示し得る。
【００２５】
例えば、データの第１の部分は、第１の送信時間で（または第１の送信時間スロット内で）送信でき、かつ、データの第２の部分は、第２の送信時間で（または第２の送信時間スロット内で）送信でき、第１の送信時間と第２の送信時間とは異なる。時間ホッピングパターンは、第１の送信時間および第２の送信時間を定義できる（または特定できる、または示し得る）。あるいは、時間ホッピングパターンは、第１の送信時間、および、第１の送信時間と第２の送信時間との間の時間間隔を示し得る。もちろん、時間ホッピングパターンは、第１の送信時間と第２の送信時間との間の時間間隔だけを示し得る。
【００２６】
実施の形態において、データ送信機は、周波数ホッピングパターンおよび／または時間ホッピングパターンを使いながら、少なくとも１つの同期シーケンスと共にデータを送信するように構成できる。
【００２７】
実施の形態において、データは少なくとも２つのデータパケットを含み得て、データ送信機は、周波数ホッピングパターンおよび／または時間ホッピングパターンに従って、少なくとも２つのデータパケットを送出するように構成される。
【００２８】
例えば、少なくとも２つのデータパケットは、それぞれ、データが一括ではなくデータパケットに分割させて送信されるように、データの異なるまたは重複する部分を含み得る。
【００２９】
データは電文であり得て、データ送信機は、電文を少なくとも２つのデータパケットに分離するように構成され、少なくとも２つのデータパケットのそれぞれは、電文より短い。
【００３０】
データ送信機は、少なくともデータパケットの一部分に、同期シーケンスまたは部分同期シーケンスを提供するように構成できる。従って、データパケットの一部分は、データだけを含み得る。データパケットの一部分は、データと、同期シーケンスまたは部分同期シーケンスとを含み得る。データパケットの一部分は、同期シーケンスまたは部分同期シーケンスだけを含み得る。
【００３１】
実施の形態において、データ送信機は、基準信号自体を送出するように構成でき、基準信号はプリアンブルである。データ送信機は、プリアンブルが受信機側で完全な検出に適するように、プリアンブルを送出するように構成できる。
【００３２】
例えば、データ送信機は、プリアンブルがデータ受信機において単独で検出できるように、プリアンブルを送信するように構成できる。プリアンブルの正しい時間が受信機側で検出されるとき、データはいかなる別の検出無しで復号化できる。
【００３３】
実施の形態において、データ送信機は、一括して（つまり、どのような割込みまたは送信休止無しで）、プリアンブルを送信するように構成できる。データ送信機は、プリアンブルの送信がデータの送信によって重複しないようにさせて、プリアンブルをデータの前に、データの後に、または、データの間に送出するように構成できる。
【００３４】
例えば、データ送信機は、プリアンブルの送信がデータの送信によって重複しないように、異なる送信時間および／または異なる送信周波数で、データおよびプリアンブルを送出するように構成できる。
【００３５】
データ送信機は、データのために使われたデータ転送速度より低いデータ転送速度で、プリアンブルを送出するように構成できる。この態様において、低い信号／ノイズ比によってさえ、受信機側においてプリアンブルを検出することが可能である。
【００３６】
データ送信機は、データのために使われた変調タイプまたは変調方法とは異なる変調タイプまたは変調方法によって、プリアンブルを送信するように構成できる。
【００３７】
例えば、データ送信機は、ＢＰＳＫ−変調（ＢＰＳＫ＝２位相偏移変調）方式、ＯＦＤＭ−変調（ＯＦＤＭ＝直交周波数分割多重化）方式、または、ＣＳＳ−変調（ＣＳＳ＝チャープ拡散スペクトル）方式でプリアンブルを送信し、かつ、ＵＮＢ−変調（ＵＮＢ＝超狭帯域）方式でデータを送信するように構成できる。
【００３８】
データ送信機１００は、電文分割方法を使いながら、データを送出するように構成できる。この文脈において、データは電文であり得て、データ送信機は、電文を複数のデータパケット（またはデータサブパケット、または部分データパケット）に分割するように構成され、複数のデータパケットのそれぞれは電文より短い。複数のデータパケットは、周波数ホッピングパターンおよび／または時間ホッピングパターンを使いながら送出できる。例えば、複数のデータパケットのそれぞれは、送信周波数（または、前のデータパケットに関連した送信周波数ホップ）、および／または、周波数ホッピングパターンおよび／または時間ホッピングパターンのために、それと関連した送信時間（または、送信時間間隔、または、送信時間スロット、または、前のデータパケットに関連した送信時間ホップ）を持つ。さらに、複数のデータパケットは、データパケットの間に送信休止があるように、時間間隔で送出できる。
【００３９】
データ送信機は、プリアンブルと共に別のデータと一括して送信するように構成できる。別のデータは付加され得るか、または、プリアンブルの前に置かれ得る。もちろん、プリアンブルの一部分が別のデータの前に送信される、および、プリアンブルの別の部分が別のデータの後に送信されることも可能である。
【００４０】
プリアンブルと一緒に送信された別のデータの少なくとも一部分は、データがそれによって送信される、周波数ホッピングパターンおよび／または時間ホッピングパターンに関する情報を含み得る。
【００４１】
実施の形態において、基準信号は少なくとも２つのプリアンブルを含み得る。
【００４２】
データ送信機は、異なる変調タイプまたは変調方法を持つ少なくとも２つのプリアンブルを送出するように構成できる。さらに、データ送信機は、異なるデータ転送速度で少なくとも２つのプリアンブルを送出するように構成できる。さらに、データ送信機は、異なる送信周波数で少なくとも２つのプリアンブルを送出するように構成できる。
【００４３】
データ送信機は、少なくとも２つのプリアンブルのそれぞれが、受信機側で完全な検出に適するように、少なくとも２つのプリアンブルを送出するように構成できる。
【００４４】
例えば、データ送信機は、それぞれのプリアンブルが受信機側で単独で検出できるように、少なくとも２つのプリアンブルを送出するように構成でき、その結果、１つのプリアンブルだけが、正しい基準時間を決定するために要求され続ける。２つのプリアンブルは異なる周波数で送信できる。
【００４５】
例えば、データ送信機は、同じプリアンブルを数回（少なくとも２回）送出するように構成できる。
【００４６】
データ送信機は、少なくとも２つのプリアンブルのうちの第１のプリアンブルが受信機側で粗い検出だけに適し、かつ、少なくとも２つのプリアンブルのうちの第２のプリアンブルが受信機側で完全な検出に適するように、少なくとも２つのプリアンブルを送出するように構成できる。
【００４７】
例えば、データ送信機は、第１のプリアンブルが、受信データストリームの中で、受信機側で容易に検出されるように、第１のプリアンブルを送出するように構成できる。受信機側において、第１のプリアンブルの検出は、しかしながら、その時に実行される実際の検出または同期に基づいて、受信データストリームの中で第２のプリアンブルを位置決めするために十分である、低い時間精度だけを提供する。
【００４８】
データ送信機は、さらに、少なくとも２つのプリアンブルのうちの第１のプリアンブルと共に別のデータを一括して送出するように構成でき、第１のプリアンブルと共に一括して送出された別のデータは、少なくとも２つのプリアンブルのうちの第２のプリアンブルに関する情報を含み得る。例えば、少なくとも２つのプリアンブルの間の時間間隔または周波数間隔は、別のデータ内に含まれた情報によってシグナリングされ得る。
【００４９】
データ送信機は、さらに、少なくとも２つのプリアンブルのうちの１つを、少なくとも２つの部分プリアンブルに分割し、かつ、互いに関連した時間および／または周波数間隔で、少なくとも２つの部分プリアンブルを送出するように構成できる。
【００５０】
実施の形態において、データ送信機は、基準信号自体を送出するように構成でき、基準信号は時間的に決定論的手法で繰り返される信号（例えばビーコン）である。
【００５１】
例えば、データ送信機は、ビーコンを送出する基地局であり得る。既知の間隔で、基地局はデータを所定のセンサーノードに送信するであろう。
【００５２】
データ送信機は、基準信号の送信がデータの送信によって重複されないように、データの前に、データの後ろに、または、データの間に基準信号を送出するように構成できる。
【００５３】
データ送信機は、データのために使われたデータ転送速度と異なるデータ転送速度で、基準信号を送出するように構成できる。データ送信機は、データを送信するために使われた変調タイプまたは変調方法とは異なる変調タイプまたは変調方法によって、基準信号を送出するように構成できる。
【００５４】
データ送信機は、基準信号と共に別のデータを一括して送信するように構成できる。基準信号と共に一括して送信された別のデータの少なくとも一部分は、データがそれによって送信される、周波数ホッピングパターンおよび／または時間ホッピングパターンに関する情報を含み得る。
【００５５】
実施の形態において、データ送信機は、異なるデータ送信機から基準信号を受信するように構成された受信機を含み得る。基準信号は、時間的に決定論的手法で繰り返される信号（例えばビーコン）であり得る。
【００５６】
例えば、データ送信機は、基地局のビーコンを受信し、かつ、ビーコンを受信することに応答して、時間同期した態様でデータをビーコンに送出するセンサーノードであり得る。
【００５７】
データ受信機の好ましい実施の形態は以下に説明される。
【００５８】
実施の形態において、データ受信機は、周波数ホッピングパターンおよび／または時間ホッピングパターンを使いながら、基準信号と時間同期および周波数同期する態様で、データを受信するか、または、データをバッファから取り出すように構成できる。
【００５９】
例えば、データ受信機は、基準信号とデータの受信とが時間同期するように、受信時間またはデータを受信するための受信時間を、基準信号の時間に適合するように構成できる。
【００６０】
さらに、データ受信機は、基準信号とデータの受信とが周波数同期するように、受信周波数またはデータを受信するための受信周波数を、基準信号の周波数に適合するように構成できる。
【００６１】
実施の形態において、周波数ホッピングパターンは、データが受信されるべき受信周波数のシーケンスまたは受信周波数ホップを示し得る。
【００６２】
例えば、データの第１の部分は、第１の受信周波数で（または第１の周波数チャンネル内で）受信でき、かつ、データの第２の部分は、第２の受信周波数で（または第２の周波数チャンネル内で）受信でき、第１の受信周波数と第２の受信周波数とは異なる。周波数ホッピングパターンは、第１の受信周波数および第２の受信周波数を定義できる（または特定できる、または示し得る）。あるいは、周波数ホッピングパターンは、第１の受信周波数、および、第１の受信周波数と第２の受信周波数との間の周波数間隔（受信周波数ホップ）を示し得る。もちろん、周波数ホッピングパターンは、第１の受信周波数と第２の受信周波数との間の周波数間隔（受信周波数ホップ）だけを示し得る。
【００６３】
実施の形態において、時間ホッピングパターンは、データが受信されるべき受信時間シーケンスまたは受信時間間隔を示し得る。
【００６４】
例えば、データの第１の部分は、第１の受信時間で（または第１の受信時間スロット内で）受信でき、かつ、データの第２の部分は、第２の受信時間で（または第２の受信時間スロット内で）受信でき、第１の受信時間と第２の受信時間とは異なる。時間ホッピングパターンは、第１の受信時間および第２の受信時間を定義できる（または特定できる、または示し得る）。あるいは、時間ホッピングパターンは、第１の受信時間、および、第１の受信時間と第２の受信時間との間の時間間隔を示し得る。もちろん、時間ホッピングパターンは、第１の受信時間と第２の受信時間との間の時間間隔だけを示し得る。
【００６５】
実施の形態において、データは、少なくとも２つのデータパケットを含み得て、データ受信機は、周波数ホッピングパターンおよび／または時間ホッピングパターンに従って、一括して、少なくとも２つのデータパケットを受信するように、または、バッファからそれらを取り出すように構成できる。
【００６６】
データは、少なくとも２つのデータパケットに分割される電文であり得て、少なくとも２つのデータパケットのそれぞれは、電文より短い。データ受信機は、電文を得るために、少なくとも２つのデータパケットを結合するように構成できる。
【００６７】
実施の形態において、基準信号はプリアンブルであり得る。
【００６８】
データ受信機は、一括した態様で、プリアンブルを受信するか、または、それをバッファから取り出すように構成できる。
【００６９】
さらに、データ受信機は、別のデータと共に一括して、プリアンブルを受信するか、または、プリアンブルをバッファから取り出すように構成できる。プリアンブルと共に一括して、受信されたか、または、バッファから取り出された別のデータは、周波数ホッピングパターンおよび／または時間ホッピングパターンに関する情報を含み得て、データ受信機は、周波数ホッピングパターンおよび／または時間ホッピングパターンに関する情報を使いながら、データを受信するか、または、データをバッファから取り出すように構成できる。
【００７０】
実施の形態において、基準信号は２つのプリアンブルから成ることができる。
【００７１】
少なくとも２つのプリアンブルのうちの第１のプリアンブルが、粗い検出に適し得て、一方、少なくとも２つのプリアンブルのうちの第２のプリアンブルが、完全な検出に適し得る。データ受信機は、第１のプリアンブルを使いながら粗い検出を実行し、第２のプリアンブルを使いながら完全な検出を実行するように構成できる。
【００７２】
データ受信機は、少なくとも２つのプリアンブルのうちの第１のプリアンブルと共に、別のデータを受信するか、または、別のデータをバッファから取り出すように構成できる。別のデータは、２つのプリアンブルのうちの第２のプリアンブルに関する情報を含み得て、データ受信機は、受信データストリームの中の第２のプリアンブルに関する情報を使いながら、第２のプリアンブルを検出するように構成できる。例えば、別のデータ内に含まれた情報は、２つのプリアンブルの間の時間間隔または周波数間隔を示す（シグナリングする）ために使用でき、データ受信機は、シグナリングされた時間間隔または周波数間隔を使いながら、第２のプリアンブルを検出するように構成さできる。
【００７３】
２つのプリアンブルは、それぞれ、完全な検出に適し得る。データ受信機は、２つのプリアンブルのうちの１つの完全な検出に成功している場合には、２つのプリアンブルのうちの別の１つの検出を実行しないで、直ちにデータを受信するように構成できる。さらに、データ受信機は、２つのプリアンブルのうちの１つの完全な検出に成功していない場合には、２つのプリアンブルのうちの別の１つの検出を実行するように構成できる。さらに、データ受信機は、２つのプリアンブルの完全な検出に成功していない場合には、検出を実行するために２つのプリアンブルを結合するように構成できる。
【００７４】
実施の形態において、データ受信機は、基準信号自体を送出信するように構成できる。基準信号は、時間的に決定論的手法で繰り返される信号（例えばビーコン）であり得る。
【００７５】
例えば、データ受信機は、ビーコンを送出し、かつ、ビーコンに反応してビーコンと時間同期する態様で、センサーノードから送出されたデータを受信するように構成された基地局であり得る。
【００７６】
本願発明の実施の形態は、付随する図面を参照してより詳細に説明される。
【図面の簡単な説明】
【００７７】
【図１】図１は、本願発明の実施の形態に従って、データ送信機とデータ受信機とから成るシステムの概要ブロック図を示す。
【図２】図２は、図において、周波数および時間ホッピングパターンによって送信されたデータに関連する基準信号の配置を示し、基準信号は、データ１２０の前に時間的に配置される。
【図３】図３は、図において、周波数および時間ホッピングパターンによって送信されたデータに関連する基準信号の配置を示し、基準信号は、基準信号の送信がデータの送信によって重複されないように、データの間に時間的に配置される。
【図４】図４は、図において、周波数および時間ホッピングパターンによって送信されたデータに関連する基準信号の配置を示し、基準信号は、データの前に時間的に配置され、基準信号は、データのために使われたデータ転送速度より低いデータ転送速度で送信される。
【図５】図５は、図において、周波数および時間ホッピングパターンによって送信されたデータに関連する基準信号の配置を示し、基準信号は、データの前に時間的に配置され、基準信号は、周波数領域に拡張される。
【図６】図６は、図において、周波数および時間ホッピングパターンによって送信されたデータに関連する基準信号の配置を示し、基準信号は、基準信号の送信がデータの送信によって重複されないように、データの間に時間的に配置される。
【図７】図７は、図において、周波数および時間ホッピングパターンによって送信されたデータに関連する３つの基準信号の配置を示し、基準信号は、基準信号の送信がデータの送信によって重複されないように、データの間に時間的に配置され、基準信号は、固定的に定義された相互の時間間隔と周波数間隔とを示す。
【図８】図８は、図において、周波数および時間ホッピングパターンによって送信されたデータに関連する基準信号の配置を示し、基準信号は、データの前に時間的に配置され、データパケットは、追加の同期シーケンスを提供される。
【図９】図９は、図において、基準信号と、周波数および時間ホッピングパターンによって送信されたデータの繰り返し配置を示し、基準信号は、それぞれの場合において、データの前に時間的に配置される。
【図１０】図１０は、図において、周波数および時間ホッピングパターンによって送信されたデータに関連する基準信号の配置を示し、基準信号は、データの前に時間的に配置され、別のデータは、基準信号と共に送信される。
【図１１】図１１は、図において、周波数および時間ホッピングパターンによって送信されたデータに関連する基準信号の配置を示し、基準信号は、データの前に時間的に配置され、別のデータは、基準信号と共に送信され、別のデータは、例えば周波数および時間ホッピングパターン、または、長さについての情報を含む。
【図１２】図１２は、図において、周波数および時間ホッピングパターンによって送信されたデータに関連する３つの基準信号の配置を示し、基準信号は、基準信号の送信がデータの送信によって重複されないように、データの間に時間的に配置され、基準信号は、それぞれの場合において、別のデータと共に送信される。
【図１３】図１３は、実施の形態に従う、データを送信する方法のフローチャートを示す。
【図１４】図１４は、実施の形態に従う、データを受信する方法のフローチャートを示す。
【発明を実施するための形態】
【００７８】
本願発明の実施の形態の以下の説明において、同じ要素または動作において同じである要素は、異なる実施の形態のそれらのそれぞれの説明が相互に交換可能であるように、図中において同じ参照数字とされる。
【００７９】
図１は、本願発明の実施の形態に従って、データ送信機１００とデータ受信機１１０とから成るシステムの概要ブロック図を示す。システムは、データ送信機１００からデータ受信機１１０にデータ１２０を送信するための周波数ホッピングパターンおよび／または時間ホッピングパターンを使用する。
【００８０】
実施の形態において、データ送信機１００は、周波数ホッピングパターンおよび／または時間ホッピングパターンを使いながら、基準信号１３０と時間同期する態様で、データ１２０を送出するように構成される。
【００８１】
実施の形態において、データ受信機１１０は、周波数ホッピングパターンおよび／または時間ホッピングパターンを使いながら、基準信号１３０と時間同期する態様で、データ１２０を受信するように構成される。
【００８２】
図１において、例によって、データは、周波数および時間ホッピングパターン（すなわち、周波数ホッピングパターンと時間ホッピングパターンとの組み合わせ）１４０を使いながら、送信されると仮定する。もちろん、データ１２０は、周波数ホッピングパターンまたは時間ホッピングパターンだけを使いながら送信できる。
【００８３】
周波数ホッピングパターンは、データ送信機１００がデータをそれによって送信する、送信周波数のシーケンスまたは送信周波数ホップであり得る。
【００８４】
例えば、データの第１の部分は、第１の送信周波数で（または第１の周波数チャンネル内で）送信でき、かつ、データの第２の部分は、第２の送信周波数で（または第２の周波数チャンネル内で）送信でき、第１の送信周波数と第２の送信周波数とは異なる。この文脈において、周波数ホッピングパターンは、第１の送信周波数および第２の送信周波数を定義できる（または特定できる、または示し得る）。あるいは、周波数ホッピングパターンは、第１の送信周波数、および、第１の送信周波数と第２の送信周波数との間の周波数間隔（送信周波数ホップ）を示し得る。もちろん、周波数ホッピングパターンは、第１の送信周波数と第２の送信周波数との間の周波数間隔（送信周波数ホップ）だけを示し得る。
【００８５】
時間ホッピングパターンは、データ送信機１００がデータをそれによって送信する、送信時間のシーケンスまたは送信時間間隔を示し得る。
【００８６】
例えば、データの第１の部分は、第１の送信時間で（または第１の送信時間スロット内で）送信でき、かつ、データの第２の部分は、第２の送信時間で（または第２の送信時間スロット内で）送信でき、第１の送信時間と第２の送信時間とは異なる。時間ホッピングパターンは、第１の送信時間および第２の送信時間を定義できる（または特定できる、または示し得る）。あるいは、時間ホッピングパターンは、第１の送信時間、および、第１の送信時間と第２の送信時間との間の時間間隔を示し得る。もちろん、時間ホッピングパターンは、第１の送信時間と第２の送信時間との間の時間間隔だけを示し得る。
【００８７】
既に言及されたように、データ送信機１００は、周波数ホッピングパターンおよび／または時間ホッピングパターンを使いながら、基準信号と時間同期する態様で、データを送出するように構成される。
【００８８】
従って、データ送信機１００は、周波数ホッピングパターンおよび／または時間ホッピングパターンを使いながら、データの送信を基準信号に時間的に適合するように構成できる。
【００８９】
例えば、データ送信機１００は、基準信号およびデータの送信が時間同期するように、送信時間またはデータを送信するための送信時間を、基準信号の時間に時間的に適合するように構成できる。
【００９０】
例えば、データ送信機１００は、送信時間（例えば、周波数ホッピングパターンだけを持つ送信時間、または、時間ホッピングパターンだけを持つ、もしくは、結合された周波数および時間ホッピングパターンを持つ送信時間（例えば、第１の送信時間および第２の送信時間））を、基準信号の送信時間または受信時間に適合するように構成でき、その結果、固定的に定義された時間関係（例えば、時間間隔）が、基準信号の送信時間または受信時間と、データの送信時間との間に維持される。
【００９１】
データ送信機１００は、さらに、周波数ホッピングパターンおよび／または時間ホッピングパターンを使いながら、基準信号と周波数同期する態様で、データを送出するように構成できる。
【００９２】
例えば、データ送信機１００は、基準信号およびデータの送信が周波数同期するように、送信周波数またはデータを送信するための送信周波数を、基準信号の周波数に適合するように構成できる。
【００９３】
例えば、データ送信機１００は、送信周波数（例えば、時間ホッピングパターンだけを持つ送信周波数、または、周波数ホッピングパターンだけを持つ、もしくは、結合された周波数および時間ホッピングパターンを持つ送信周波数（例えば、第１の送信周波数および第２の送信周波数））を、基準信号の送信周波数または受信周波数に適合するように構成できる。その結果、固定的に定義された周波数関係（例えば、同一の周波数または周波数間隔）が、基準信号の送信周波数または受信周波数と、データの送信周波数との間に維持される。
【００９４】
時間および周波数ホッピングパターン１４０は、周波数ホッピングパターンと時間ホッピングパターンとの組み合わせであり得て、すなわち、データ送信機１００がそれによってデータを送信する、送信時間のシーケンスまたは送信時間間隔であり、送信時間（または、送信時間間隔）は、それに関連した送信周波数（または、送信周波数ホップ）を持つ。
【００９５】
実施の形態において、データは、周波数ホッピングパターンおよび／または時間ホッピングパターンに従って、データ送信機１００からデータ受信機１１０に送信される、少なくとも２つのデータパケット１４２および１４４を含み得る。
【００９６】
データは、送信休止（データ送信機が送信しない間の休止）が、少なくとも２つのデータパケット１４２および１４４との間に存在するように、送信できる。
【００９７】
データは、少なくとも２つのデータパケット１４２および１４４に分割される電文であり得て、少なくとも２つのデータパケット１４２および１４４のそれぞれは電文より短い。
【００９８】
実施の形態において、データ送信機１００は、データ１２０を送信するように構成された送信ユニット１０２を含み得る。送信ユニット１０２は、データ送信機１００のアンテナ１０４に接続できる。データ送信機１００は、さらに、データを受信するように構成された受信ユニット１０６を含み得る。受信ユニットは、データ送信機１００のアンテナ１０４または別の（分離した）アンテナに接続できる。データ送信機１００は、結合された送信／受信ユニット（トランシーバー）も含み得る。
【００９９】
データ受信機１１０は、データ１２０を受信するように構成された受信ユニット１１６を含み得る。受信ユニット１１６は、データ受信機１１０のアンテナ１１４に接続できる。さらに、データ受信機１１０は、データを送信するように構成された送信ユニット１１２を含み得る。送信ユニット１１２も、データ送信機１００のアンテナ１１４または別の（分離した）アンテナに接続できる。
【０１００】
実施の形態において、データ送信機１００はセンサーノードであり得て、一方、データ受信機１１０は基地局であり得る。もちろん、データ送信機１００が基地局であり、一方、データ受信機１１０がセンサーノードであることも可能である。さらに、データ送信機１００およびデータ受信機１１０の両方が、センサーノードであることも可能である。さらに、データ送信機１００およびデータ受信機１１０の両方が、基地局であることも可能である。
【０１０１】
図１によって示され、データ送信機１００およびデータ受信機１１０によって実行できる、送信方法の詳細な実施の形態は、以下でより詳細に説明される。
【０１０２】
この文脈において、電文分割方法による既に現存する標準の受信機を拡張することを可能にする技術が示される。この態様において、干渉に対して改善された耐性（ｉｍｍｕｎｉｔｙ）、改善されたスループット、規則など、および、改善されたエネルギー消費量も、データ受信機（例えば、センサーノード）１１０で達成できる。
【０１０３】
典型的な受信機１１０において、電文の同期および検出は、殆どの場合において最も大きな挑戦を表し、最も多くの計算パワーを伴う。仮に検出が、また、電文分割方法を使って実行されるならば、これは一般に、エネルギー消費量をより一層増大させるであろう。
【０１０４】
電文分割方法によって達成される干渉に対しての高い耐性を得ながら、これを避けるために、実施の形態は、（古典的な）プリアンブルと電文分割方法との組み合わせを使うことを含む。
【０１０５】
この文脈において、受信機の検出は一般に適合されず、従って、全ての以前に現存するアルゴリズムが使われ続けることができる。比較的簡素なデコーダが、電文分割によって拡張される。
【０１０６】
電文の検出は、また、分割されたホップ（データパケットまたはサブデータパケット）の援助によって、電文分割方法によって慣例的に実行される。単一の送信されたホップの転送エネルギーは、一般に、検出のために十分でないので、プリアンブルはいくつかのホップに亘って分割しなければならない。受信機において、それらは、検出を実行することができるように、非常に大量の計算コスト量によって再結合されなければならない。
【０１０７】
（第１の詳細な実施の形態）
この問題を避けるために、１つ以上のプリアンブルが、分割態様ではなく、一括して送信できる。従って、古典的な方法が、分割されたプリアンブルよりずっと少ない計算パワーを要求する検出のために採用できる。その後、データは、図２に示すように、干渉に対しての耐性を保証するために、電文分割によって送信できる。
【０１０８】
図において、図２は、周波数および時間ホッピングパターン１４０によって送信されたデータ１２０に関連する基準信号１３０の配置を詳細に示し、基準信号１３０は、データ１２０の前に時間的に配置される。縦座標は周波数を表わし、横座標は時間を表わす。
【０１０９】
図２に示されるように、基準信号はプリアンブル１３０であり得る。プリアンブル１３０は一括して送信できる。プリアンブル１３０は、（データパケット１４２および１４４の中の）データ１２０の前に送信できる。
【０１１０】
換言すれば、図２は、古典的なプリアンブル１３０および電文分割を持つデータ１２０を含む電文のセットアップを示す。
【０１１１】
プリアンブル１３０は、一般に、データホップ（データパケットまたはサブデータパケット）１４２および１４４の長さと異なる長さを持つ。さらに、データホップ１４２および１４４の長さが変わり、従って一定ではない場合が起こる。
【０１１２】
ホップ１４２および１４４は、（ちょうど前のように）その中に含まれた別のプリアンブルを持つことができる。従って、プリアンブル１３０は付加的に存在する。
【０１１３】
実施の形態において、ペイロードの広がりは起こらない。さらに、ペイロードはエラー保護によって送信できる。
【０１１４】
実施の形態において、プリアンブル１３０は、データ１２０に関連する幅において、より小さいか、または等しくできる。換言すれば、プリアンブル１３０が送信されるデータ転送速度は、データ１２０（またはデータパケット１４２および１４４）が送信されるデータ転送速度と異なるか、または、等しい。
【０１１５】
実施の形態において、プリアンブル１３０は、（送信機側または波形側において）一括して送信できる。データ１２０は、電文分割方法によって、時間およびオプションで周波数において分配できる。
【０１１６】
実施の形態において、（前に付加された態様で）送信されたプリアンブル１３０は、（受信機側またはデコーダ側において）検出のために使用できる。一旦検出が実行されたら、データ１２０は、時間および周波数のホッピングパターンに従って、受信できるか、または、バッファから切り取られて、シンボル回復の対象となり得る。
【０１１７】
（第２の詳細な実施の形態）
調整されたシステムが採用されるとき、データ１２０は、前に送信されたプリアンブルにだけではなく、基地局のビーコンに基づいても送信できる。
【０１１８】
従って、基準は、最早（前に）送信された信号だけでなく、受信された信号でもある。しかしながら、アプローチは同じであり、データ１２０は、ビーコンに基づいて、電文分割方法によって時間および周波数において分配できる。
【０１１９】
ここの有利さは、いくつかの送信機が同じ周波数資源を占める場合、干渉に対しての耐性における増加でもある。システムの調整のため、問題となるアクセス方式は、スロットＡＬＯＨＡである。
【０１２０】
実施の形態において、基準信号（ビーコン）の送信を持つ双方向システムが、（送信機側または波形側において）採用できる。データ１２０は、電文分割方法によって、時間およびオプションで周波数において分配でき、そして、ビーコンの時間でおよびオプションで周波数で送信できる。
【０１２１】
実施の形態において、送信された基準信号（ビーコン）は、（受信機側またはデコーダ側において）検出のために採用できる。ビーコンの検出の成功に続き、データ１２０は、ホッピングパターンに従って、時間および周波数において受信できるか、または、バッファから切り取られて、シンボル回復の対象になる。
【０１２２】
（第３の詳細な実施の形態）
データホップ１４２および１４４は、必ずしもプリアンブル１３０の後に転送される必要がない。（データ１２０を前に付加するために、）データ１２０をプリアンブル１３０の前に追加することも可能である。プリアンブル１３０と並行して、異なるチャンネルにデータ１２０を送信することも実現可能である。
【０１２３】
一般に、前の方法のどのような組み合わせでも、例えば、プリアンブル１３０の前および後ろにデータ１２０を追加することも可能である。
【０１２４】
プリアンブル１３０に関連するデータホップ１４２および１４４の位置を知ることは、受信機１１０のために必要であるだけである。ホップ１４２および１４４は、周波数ホッピングによって、周波数において任意に分配できる。このアプローチは図３において図示される。
【０１２５】
図において、図３は、周波数および時間ホッピングパターンによって送信されたデータ１２０に関連する基準信号１３０の配置を詳細に示し、基準信号１３０は、データ１２０の間に時間的に配置される。縦座標は周波数を表わし、横座標は時間を表わす。
【０１２６】
図３に示すように、基準信号はプリアンブル１３０である。プリアンブル１３０は一括して転送できる。プリアンブル１３０は、プリアンブル１３０の送信がデータ１２０の送信によって重複されないように、少なくとも一部分に、データ１２０（または、データパケット１４２および１４４）の間に送信できる。
【０１２７】
換言すれば、図３は、古典的なプリアンブル１３０および電文分割を持つデータ１２０を持つ電文のセットアップを示し、データ１２０は、必ずしもプリアンブル１３０の後ろに送信される必要はない。
【０１２８】
現在、利用が両方向に（プリアンブル１３０の前および後ろに）可能なので、この方法の有利さは、延長された可干渉（coherence）時間において存在する。
【０１２９】
実施の形態において、プリアンブル１３０は、（送信機側または波形側において）一括して送信できる。データ１２０は、電文分割方法によって、時間およびオプションで周波数において、プリアンブル１３０の前、後ろおよび／または間に分配される。
【０１３０】
実施の形態において、（前に付加された態様で）送信されたプリアンブル１３０は、（受信機側またはデコーダ側において）検出のために使用できる。一旦検出が実行されると、データ１２０は、ホッピングパターンに従って、時間および周波数において切り取られ得る。
【０１３１】
（第４の詳細な実施の形態）
そのうえ、低い信号／雑音比（ＳＮＲ）で検出を実行することができるように、データ転送速度は、プリアンブル長に従って適合できる。これは、プリアンブル１３０のデータ転送速度が、一般に、電文分割方法によって送信されたデータ１２０の転送速度と異なることを意味する。そのようなセットアップが図４に示される。
【０１３２】
図において、図４は、周波数および時間ホッピングパターン１４０によって転送されたデータ１２０に関連する基準信号１３０の配置を詳細に示し、基準信号１３０は、データ１２０の前に時間的に配置される。縦座標は周波数を表わし、横座標は時間を表わす。
【０１３３】
図４に示すように、基準信号はプリアンブル１３０であり得る。プリアンブル１３０は一括して転送できる。プリアンブル１３０は、（データパケット１４２および１４４の中の）データ１２０の前に送信できる。プリアンブル１３０は、データ１２０のために使われたデータ転送速度より低いデータ転送速度で転送できる。データ１２０と比較して、プリアンブル１３０のより低いデータ転送速度が、周波数の方向における信号の幅によって、図４に示される。
【０１３４】
換言すれば、図４は、古典的なプリアンブル１３０、電文分割を持つデータ１２０、および、減らされたプリアンブルのデータ転送速度を持つ電文のセットアップを示す。
【０１３５】
例えば、１６個〜３２個のシンボルの範囲内の典型的なプリアンブル長さに対して、プリアンブル１３０のデータ転送速度は、データ１２０のデータ転送速度より、略１０個〜２０個の因子だけ低くでき、データ１２０は、ＦＥＣ（順方向エラー訂正）のより低い符号レートで符号化され、電文分割によって送信される。
【０１３６】
実施の形態において、プリアンブル１３０は、（送信機側または波形側において）一括して転送でき、データ１２０は電文分割方法によって転送される。プリアンブル１３０のデータ送信速度は、データ１２０のために使われたデータ送信速度と異なり得る。
【０１３７】
実施の形態において、検出に続いて、（受信機側またはデコーダ側において）復号化のために異なるデータ転送速度を採用でき、従って例えば、サンプリング速度を変更するか、または、整合フィルタを切り替え得る。
【０１３８】
（第５の詳細な実施の形態）
いくつかのタイプの変調が、相対的に簡単な態様で検出できる。他に、対比において、帯域幅効率およびノイズの影響に関してより良い性能を示す。
【０１３９】
電文をプリアンブル１３０とデータ１２０とに分割することによって、両方の方法のための変調のタイプも、互いに独立して選択できる。結果として、検出およびデータに最も良い変調方法が、応用に従って互いに独立して選択できる。
【０１４０】
例えば、ＢＰＳＫ（２位相偏移変調）が、同期のために採用でき、一方、ＭＳＫ（最小偏移変調）が、データのために採用できる。
【０１４１】
実施の形態において、プリアンブル１３０は、（送信機側または波形側において）データ１２０の変調とは異なるタイプの変調を持つことができる。
【０１４２】
実施の形態において、検出に続いて、（受信機側またはデコーダ側において）復号化のために異なるデータ転送速度を採用でき、従って例えば、サンプリング速度を変更するか、または、整合フィルタを切り替えることができる。
【０１４３】
（第６の詳細な実施の形態）
上記のアイデアは、プリアンブル／同期１３０のための完全に異なる送信方法でさえ採用することによって拡大できる。原則として、どのような組み合わせでも可能であり、それは拡散方法、狭帯域、または、ＯＦＤＭ（直交周波数分割多重方式）である。
【０１４４】
例えば、図５に示されるような拡がり方法は、同期のために使用できる。
【０１４５】
図５は、図において、周波数および時間ホッピングパターン１４０によって送信されたデータ１２０に関連する基準信号１３０の配置を詳細に示し、基準信号１３０は、データ１２０の前に時間的に配置され、基準信号１３０は、周波数領域に拡げられる。縦座標は周波数を表わし、横座標は時間を表わす。
【０１４６】
図５に示すように、基準信号はプリアンブル１３０であり得る。プリアンブル１３０は一括して転送できる。ここのプリアンブル１３０は、（データパケット１４２および１４４の中の）データ１２０の前に転送できる。プリアンブル１３０のために、チャープ拡散スペクトラム（ＣＳＳ）方法が使用でき、一方、データ１２０は、電文分割方法によって正規の態様で転送できる。あるいは、正規の周波数ホッピング方法が、休止（送信休止）が部分パケット１４２と１４４との間に作られないように、電文分割方法の代わりに採用できる。
【０１４７】
換言すれば、図５は、プリアンブル１３０と電文分割を持つデータ１２０とを含む電文のセットアップを示し、プリアンブル１３０は、ＣＳＳ方法（ＣＳＳ＝チャープ拡散スペクトラム）によって調整されている。
【０１４８】
従って、ＣＳＳプリアンブルは検出のために採用でき、一方、データはＵＮＢ変調によって転送できる。しかしながら、データ１２０は、１つの周波数で一括して送信されるだけでなく、周波数ホッピングおよび／または電文分割によって、時間および周波数に亘って分配される。これは、調整されていない送信（例えば、ＡＬＯＨＡまたはスロットＡＬＯＨＡ）を持つ干渉に対してのより一層高い耐性の主要な有利さを結果として生じ、２つの部分パケット１４２および１４４が同時に同じ周波数で送信されるときには、周波数ホッピング方法および電文分割方法によって、電文の部分は送信できないので、有利さは調整されたシステムにも当てはまり、前記部分は、エラー訂正によって、受信機１１０によって復元できる。
【０１４９】
実施の形態において、プリアンブル１３０を送信する方法は、（送信機側または波形側において）データ１２０を送信する方法と同一ではないかもしれない。
【０１５０】
実施の形態において、シンボルを回復する異なる方法が、（受信機側またはデコーダ側において）検出に続く復号化のために採用できる。
【０１５１】
（第７の詳細な実施の形態）
前の方法によって、同期は、計算コストの適度な量で検出できるが、しかしながら、干渉に対しての耐性に関係する問題は残る。上記の場合において、仮に干渉が、送信の間、基準信号と同じ周波数帯域内で活動的で、かつ、仮に前記干渉が、受信機にてより高いパワーを示すならば、電文は一般に検出できない。
【０１５２】
この問題を相殺するために、プリアンブル１３０を送信できるだけではなく、プリアンブル１３０を時々、データ１２０の前におよび／または後におよび／または間に挿入するであろう。これは図６に示される。
【０１５３】
図において、図６は、周波数および時間ホッピングパターン１４０によって送信されたデータ１２０に関連する、３つの基準信号１３０＿１〜１３０＿３の配置を詳細に示し、基準信号１３０＿１〜１３０＿３は、基準信号１３０＿１〜１３０＿３の送信がデータ１２０の送信によって重複しないように、データ１２０の間に時間的に配置される。縦座標は周波数を表わし、横座標は時間を表わす。
【０１５４】
図６に示されるように、基準信号１３０＿１〜１３０＿３はプリアンブルであり得る。プリアンブル１３０＿１〜１３０＿３は、それぞれ一括して転送できる。
【０１５５】
換言すれば、図６は、いくつかのプリアンブル１３０＿１〜１３０＿３およびデータ１２０を含む電文のセットアップを示し、それは、電文分割によって送信される。
【０１５６】
仮にプリアンブル１３０＿１〜１３０＿３のうちの１つが干渉のために見つけられないならば、電文の一部分だけが失われ、残りは電文分割に採用される順方向エラー訂正によって回復される。
【０１５７】
しかしながら、電文分割と対比すると、ここで、全てのプリアンブルは、復号化のために必要な信号／雑音比（ＳＮＲ）に比べて同様な（数ｄＢだけの差を持つ）信号／雑音比（ＳＮＲ）によって単独で検出できる、ということを述べるべきである。
【０１５８】
実施の形態において、いくつかのプリアンブル１３０＿１〜１３０＿３は、（送信機側または波形側において）パケット（または電文）に導入できるが、しかしながら、それらは、データ１２０のために使われたデータ転送速度または変調方法と同じデータ転送速度または同じ変調方法を持つ必要がない。
【０１５９】
実施の形態において、それぞれのプリアンブル１３０＿１〜１３０＿３は、（受信機側またはデコーダ側において）単独で復号化でき、データは検出に従って復号化できる。仮に電文の一部分が見失われるならば、これは、順方向エラー訂正（ＦＥＣ）に先がけて受信データストリームに挿入できる。
【０１６０】
（第８の詳細な実施の形態）
電文分割と同様に、プリアンブル１３０＿１〜１３０＿３の間の休止および周波数ホップは、図７に示すように定義できる。
【０１６１】
図において、図７は、周波数および時間ホッピングパターン１４０によって送信されたデータ１２０に関連する、３つの基準信号１３０＿１〜１３０＿３の配置を詳細に示し、基準信号１３０＿１〜１３０＿３は、基準信号１３０＿１〜１３０＿３の送信がデータ１２０の送信によって重複しないように、データ１２０の間に時間的に配置され、基準信号１３０＿１〜１３０＿３は、互いに関連して、固定された時間間隔および周波数間隔を持つ。縦座標は周波数を表わし、横座標は時間を表わす。
【０１６２】
図７に示されるように、基準信号１３０＿１〜１３０＿３はプリアンブルであり得る。プリアンブル１３０＿１〜１３０＿３は、それぞれ一括して転送できる。さらに、基準信号１３０＿１〜１３０＿３は、互いに関連して、固定された時間間隔Δｔ1およびΔｔ2と周波数間隔Δｆ1およびΔｆ2とをそれぞれ持つ。
【０１６３】
これは、プリアンブル（例えば、第１のプリアンブル１３０＿１）が妨げられる場合、それにもかかわらず、全てのデータホップ１４２および１４４を推定できる、という有利さを提供する。従って、推定に対するデータ１２０の耐性は前の場合と比較して増大する。
【０１６４】
しかしながら、電文分割と対比すると、全てのプリアンブル１３０＿１〜１３０＿３は、復号化するために必要な信号／雑音比（ＳＮＲ）と比較して、同様な（数ｄＢだけの差を持つ）信号／雑音比（ＳＮＲ）によってまだ単独で検出できる。これは、検出が電文分割方法と対比すると、１つの単一のプリアンブルのみによっても作用することを意味する。定義されたパターンによってプリアンブル１３０＿１〜１３０＿３を相互に結び付けることにおける別の利点は、（例えば第１のプリアンブル１３０＿１の）検出に成功した場合には、残りのプリアンブル（第２のプリアンブル１３０＿２および第３のプリアンブル１３０＿３）は最早検出される必要がなく、従ってさらなる計算パワーが節約されるという事実にある。
【０１６５】
低い信号／雑音比（ＳＮＲ）の値によって、さらに、それぞれのプリアンブルの個々の検出結果を、全体の検出可能性に結合する可能性がある。
【０１６６】
実施の形態において、いくつかのプリアンブル１３０＿１〜１３０＿３は、（送信機側またはデコーダ側において）パケット（または電文）に導入できる。前記プリアンブル１３０＿１〜１３０＿３の間には、定義された時間および周波数パターンが存在する。
【０１６７】
実施の形態において、それぞれのプリアンブル１３０＿１〜１３０＿３は、（送信機側または波形側において）単独で復号化できる。しかしながら、受信されたプリアンブルに基づいて、受信機１１０は、検出されなかったプリアンブルを推定できず、従って、復号化のために全てのデータを使い得る。さらに、プリアンブルが一旦受信されると、検出は終了できる。
【０１６８】
（第９の詳細な実施の形態）
仮にプリアンブル１３０＿１〜１３０＿３の間の時間間隔が既知であるならば、前の例に示されるように、プリアンブルのうちの１つだけを検出することで十分である。
【０１６９】
同じデータ転送速度で、および、同じ変調方法によって、全てのプリアンブル１３０＿１〜１３０＿３を送信する代わりに、個々のプリアンブル１３０＿１〜１３０＿３の変調およびデータ転送速度の両方が変えられる。例えば、簡単な受信機のために、検出するのに簡単なプリアンブルが採用できる。より複雑な受信機のために、別のプリアンブルを使うことによってより計算に集中的な検出が存在する。
【０１７０】
仮に第２の詳細な実施の形態において説明されたように、プリアンブルのデータ転送速度が減少されるならば、これは、検出の時間解像度が、データ転送速度が減少される因子に従って低下する、ということを結果として生じるであろう。しかしながら、上述のアプローチによって、完全な精度は、それにもかかわらず、どのような大きい計算コストを含むことなく、２つのプリアンブルによって達成される。このため、「粗い」同期が、簡単な方法を使って最初に実行される。そして、仮にプリアンブルが見つけられたならば、高精度の検出が他のプリアンブルに基づいて計算できる。
【０１７１】
性能カテゴリーに依存して、以下の４つの検出の可能性がある。第１に、見つけ易いプリアンブルに基づいた低電力の検出。第２に、見つけ易いプリアンブルに基づいた低電力の検出、およびその後の、前の検出に基づいた高精度の検出。第３に、より複雑なプリアンブルに基づいた高電力の検出。第４に、より複雑なプリアンブルに基づいた高電力の検出と、見つけ易いプリアンブルに基づいた低電力の検出との組合せ。
【０１７２】
実施の形態において、様々なタイプの変調および／または様々なデータ転送速度が、（送信機側または波形側において）プリアンブルのために採用できる。
【０１７３】
（第１０の詳細な実施の形態）
第９の詳細な実施の形態において記載された、異なる受信機のための異なるプリアンブルを使うことの可能性の代わりに、検出し易い、いわゆるプレプリアンブル（すなわち、プリアンブル）、および／または、ポストプリアンブル（すなわち、ポストアンブル）、および／または、中間プリアンブル（すなわち、ミッドアンブル）も挿入できる。
【０１７４】
ここに、実際のプリアンブルは、どのような大きい計算コストを含むことなく検出できるように、先頭に付加された別のプリアンブルを持つけれども、時間的な精度の相対的に低いレベルを提供する。仮にプレプリアンブルが検出されるならば、小さな時間的検索エリアだけが、実際のプリアンブルを探すように残る。
【０１７５】
一般に、プレプリアンブルは、実際のプリアンブルのデータ転送速度と異なるデータ転送速度を持つ。データ転送速度は、一般に、前のプレプリアンブルがより検出し易いように、さらに減少される。
【０１７６】
プレプリアンブルの長さは、実際のプリアンブルの長さから導出できる。異なるタイプの変調を選択することも可能である。
【０１７７】
前の方法と比較して、この方法は、全てのプリアンブルが簡単な受信機によってさえ検出される、という有利さを持つ。
【０１７８】
実施の形態において、受信機に知られる別のシーケンスは、（送信機側または波形側において）実際のプリアンブルに先がけて送信できる。
【０１７９】
実施の形態において、プレ検出は（受信機側またはデコーダ側において）実行でき、仮にそれが成功するならば、さらに、より精密な検出が、所定の検索エリア内で実行できる。
【０１８０】
（第１１の詳細な実施の形態）
干渉の場合には、十分な計算パワーを持つより高いレベルの検出性能を得るために、および／または、時間的に正確な同期および／または改善された周波数評価を得るために、図８に示されるように、プリアンブルに加えて同期シーケンスもホップに導入できるか、または、追加の同期ホップだけが電文に導入できる。
【０１８１】
図８は、図において、周波数および時間ホッピングパターン１４０によって転送されたデータ１２０に関連する基準信号１３０の配置を詳細に示し、基準信号１３０は、データ１２０の前に時間的に配置され、データパケット（ホップ）は、追加の同期シーケンスが提供される。縦座標は周波数を表わし、横座標は時間を表わす。
【０１８２】
図８に示すように、基準信号１３０はプリアンブルであり得る。プリアンブル１３０は一括して転送できる。さらに、データパケットは、少なくとも部分において、同期シーケンスを提供され、その結果、データだけから成るデータパケット１４２および１４４に加えて、同期シーケンスだけから成るデータパケット１４７および１４８だけでなく、データおよび同期シーケンスの両方から成るデータパケット１４６および１４９も存在する。
【０１８３】
換言すれば、図８は、粗い検出のためのプリアンブル１３０と、ホップ１４６〜１４９における細かい検出のための同期シーケンスとの結合を示す。
【０１８４】
プリアンブル１３０は、従って、粗いパケット検出のために採用され、この基準だけに合致しなければならない。結果として、プリアンブルの長さは、殆どの場合に、明確に低減できる。
【０１８５】
仮に十分な計算パワーが受信機内に存在するならば、ホップ１４６〜１４９の中の同期シーケンスに基づいて方向を直接に計算する可能性がある。これは、検出の間に、干渉に対する改善された耐性の有利さを提供する。
【０１８６】
実施の形態において、別の同期シーケンスは、（送信機側または波形側において）ホップの中に導入できる。または、同期ホップだけが、実際のプリアンブル１３０に加えて、電文の中に導入できる。
【０１８７】
実施の形態において、プレ検出は、（受信機側またはデコーダ側において）実行され得る。仮に前記プレ検出が成功するならば、さらにより細かい検出が、所定の検索エリア内で実行できる。高性能受信機は、ホップに基づいて検出を直接に計算できる。
【０１８８】
（第１２の詳細な実施の形態）
仮にいわゆるデータの反復が採用されるならば、データは、ＭＲＣ（最大比率結合）または他の技術によって、全体の結果に併合され得る。これは、使われた反復の数に依存して、干渉に対するデータの耐性だけでなく、ノイズに対する性能も重く増大させる。実際の使用から確立された良好なガイド値は、３回の反復を含む。
【０１８９】
それぞれ新しいプリアンブルによって新しいデータを持つ代わりに、ここのデータは繰り返される。プリアンブルの間の間隔が知られる場合、僅かに１つの正しく検出されたプリアンブルによって、全ての他のものの位置が計算できるということも、ここでは十分である。さもなければ、同じデータの少なくとも２つのプリアンブルが、ＭＲＣのために検出されなければならない。
【０１９０】
第５の詳細な実施の形態と違って、それぞれのフレームは、再び、図９に示されるように、１つのプリアンブルおよび関連データだけから成る。
【０１９１】
図において、図９は、基準信号１３０と、周波数および時間ホッピングパターン１４０によって送信されたデータ１２０との反復配置を詳細に示し、基準信号１３０は、それぞれの場合において、データ１２０の前に時間的に配置される。縦座標は周波数を表わし、横座標は時間を表わす。
【０１９２】
図９に示すように、基準信号１３０はプリアンブルであり得る。プリアンブル１３０は一括して送信できる。例によって、基準信号１３０およびデータ１２０の配置は、図９において３回繰り返され、基準信号１３０およびデータ１２０の配置は、反復の周波数においてシフトできる。図９において、基準信号１３０およびデータ１２０の反復配置は、フレーム１５０＿１〜１５０＿３と称される。
【０１９３】
すなわち、図９は、フレーム１５０＿１〜１５０＿３の３重の反復による電文のセットアップを示す。
【０１９４】
図９は、フレーム１５０＿１〜１５０＿３が非常に簡単な態様で数回送信されることも示す。ここで、反復が、同じ周波数で起こることは必要ではない。フレームの間の時間間隔も変化できる。仮にそれが受信機に知られるならば、異なるホップパターンを採用することも可能である。
【０１９５】
実施の形態において、同じデータが、（送信機側または波形側において）数回送信できる。
【０１９６】
実施の形態において、デコーダは、（受信機側またはデコーダ側において）１つの全体の電文を形成するために、受信された全ての反復からの情報を結合できる。
【０１９７】
（第１３の詳細な実施の形態）
図において、図１０は、周波数および時間ホッピングパターン１４０によって送信されたデータ１２０に関連する基準信号１３０の配置を示し、基準信号１３０はデータ１２０の前に時間的に配置され、別のデータ１５２は基準信号１３０と一緒に送信される。縦座標は周波数を表わし、横座標は時間を表わす。
【０１９８】
図１０に示すように、基準信号はプリアンブル１３０であり得る。プリアンブル１３０は一括して転送できる。プリアンブル１３０は、（データパケット１４２および１４４の中の）データ１２０の前に転送できる。プリアンブルは、それに付加された別のデータ１５２を持ち得る。
【０１９９】
換言すれば、図１０は、コアシーケンス（プリアンブル１３０および別のデータ１５２）と、拡張シーケンス（電文分割を持つデータ）とから成る電文のセットアップを示す。
【０２００】
図１０に示されるように、プリアンブル１３０は、データフィールド１５２によって拡張できるか、または、データはまた、プリアンブルの中に導入できる。このデータフィールドは、プリアンブルと共に、いわゆるコアパケットまたはコアシーケンスを形成する。例えば、仮に送信のための非常に少ないデータだけであるならば、その結果、分割ホップを発生させて送信するために、手元に非常に小さなデータを持つ絶対的な必要はない。
【０２０１】
しかし、コアデータは、プリアンブルに付加されることによって、干渉に非常に陥り易いので、情報は反復によって保護されるべきである。従って、データは、電文分割のために、干渉に対して改善された耐性を既に表しているので、コアパケット内の情報だけを繰り返すことも、ここで可能である。
【０２０２】
仮にデータホップ１４２および１４４が、コアパケットに付加されるならば、前記データホップは、拡張パケットまたは拡張シーケンスとも称される。
【０２０３】
実施の形態において、未知のペイロードは、（送信機側または波形側において）プリアンブル１３０の後に追加（に付加）される（プリアンブル１３０の前に、間にまたは後に）。
【０２０４】
実施の形態において、デコーダは、（受信機側またはデコーダ側において）送信された情報を、２つの異なるエリアから取り出し得る。ここで、復号化は、別個のステップでまたは一緒に実行できる。
【０２０５】
（第１４の実施の形態）
図１１は、図において、周波数および時間ホッピングパターン１４０によって送信されたデータ１２０に関連する基準信号１３０の配置を示し、基準信号１３０は、データ１２０の前に時間的に配置され、別のデータ１５２は基準信号１３０と共に送信される。縦座標は周波数を表わし、横座標は時間を表わす。
【０２０６】
図１１に示すように、基準信号はプリアンブル１３０であり得る。プリアンブル１３０は一括して送信できる。プリアンブル１３０は、（データパケット１４２および１４４の中の）データ１２０の前に送信できる。プリアンブルは、それに追加された別のデータ１５２を持ち得る。別のデータ１５２は、周波数ホッピングパターンおよび／または時間ホッピングパターンに関する情報を含み得る。
【０２０７】
換言すれば、図１０および／または図１１は、コアシーケンス（プリアンブル１３０およびヘッダー１５２）と、拡張シーケンス（電文分割を持つデータ）とから成る電文のセットアップを示す。
【０２０８】
従って、ペイロードだけが続いているプリアンブル１３０の代わりに、コアパケット内の一部分の情報または全体の情報も、拡張の別の送信パラメータを定義するために使われ得る。
【０２０９】
この態様において、例えば、採用されたデータ転送速度、ホッピングパターン（時間および周波数）、ホップ長さまたは周波数帯域が、シグナリングできる。
【０２１０】
その後の拡張をシグナリングする利点は、時間的な位置およびパターンが、自由に構成される、ということを含む。従って、それぞれの送信で、ランダムホッピングパターンが、データを送信するために選択できる。これは送信信頼性を非常に増大させる。仮に送信機が、それに利用可能な他の送信または干渉についての情報を持つならば、それは、重複が避けられるように、パターンを適応させることができる。
【０２１１】
仮に基地局が２つのセンサーノードに同時に反応するべきであるならば、例えば、これは、完全な重複を結果として生じること無く、異なるホップパターンによって可能である。さらに、基地局は、いくつかの加入者に送信を結合し、従って、キャリアアグリゲーション（ＣＡ）を実行する。
【０２１２】
実施の形態において、受信機に未知で、シグナリングのために（部分において）使われるペイロードが、（送信機側または波形側において）プリアンブルの後に追加できる。
【０２１３】
実施の形態において、デコーダは、（受信機側またはデコーダ側において）送信された情報を２つの異なるエリアから取り出し得る。ここで、コアからの情報は、拡張シーケンスのホッピングパターンおよびホップ長さなどを生成するために（部分において）採用される。
【０２１４】
たとえ上記の実施の形態において、基準信号がプリアンブルであると仮定しても、本願発明はそのような実施の形態に制限されない。むしろ、基準信号はビーコンでもありその場合、上記の実施の形態は類推によって適用される。
【０２１５】
（第１５の詳細な実施の形態）
核内の拡張を信号で伝える代わりに、他の核シーケンスの位置を信号で伝えることも可能である。この目的のために、それぞれの核シーケンスは、図１２に示すように、どのような他の核シーケンスでも推定することが可能であるように、異なる情報から成る。
【０２１６】
図において、図１２は、周波数および時間ホッピングパターン１４０によって送信されたデータ１２０に関連する３つの基準信号１３０＿１〜１３０＿３の配置を示し、基準信号１３０＿１〜１３０＿３は、基準信号１３０＿１〜１３０＿３の送信が、データの送信によって重複されないように、データ１２０の間に時間的に配置され、基準信号１３０＿１〜１３０＿３は、別のデータ１５２＿１〜１５２＿３と共にそれぞれ送信される。縦座標は周波数を表わし、横座標は時間を表わす。
【０２１７】
図１２に示すように、基準信号はプリアンブル１３０＿１〜１３０＿３である。プリアンブル１３０＿１〜１３０＿３はそれぞれ一括して送信される。プリアンブル１３０＿１〜１３０＿３は、プリアンブル１３０＿１〜１３０＿３がデータによって重複されないように、時間的な表現においてデータ１２０の間に送信される。プリアンブル１３０＿１〜１３０＿３は、それぞれ、それらに付加された別のデータ１５２＿１〜１５２＿３を持つ。別のデータ１５２＿１〜１５２＿３は、他のプリアンブル１３０＿１〜１３０＿３および／または別のデータ１５２＿１〜１５２＿３に関する情報、および／または、データ１４２、１４６に関する情報を含む。
【０２１８】
すなわち、図１２は、コアシーケンス（プリアンブルおよびヘッダー）と、拡張シーケンス（電文分割を持つデータ）とから成る電文のセットアップを示す。プリアンブルの位置は、ヘッダーにおいてシグナリングされる。
【０２１９】
例えば、３つのコアシーケンスが電文毎に採用できる。従って、第１のコアシーケンスに関連する第２および第３のコアシーケンスについての情報は、第１のコアシーケンスにおいて定義され、導入できる。これは、類似によって他の２つのコアシーケンスに当てはまる。
【０２２０】
この方法は、プリアンブル／コアシーケンスの間の間隔が、全ての電文にわたって同一である必要がない、という主要な有点を提供する。仮にいくつかの加入者が、個々のコアシーケンスのために同じホッピングパターンを使う電文を、同時に送信するならば、これは頻繁に完全な重複をもたらす。仮に電文のコアシーケンスのホッピングパターンが、ランダムに分配されるならば、完全な重複の見込みが大いに減少する。従って、ずっと多くの電文が送信できる。
【０２２１】
実施の形態において、受信機に未知で、かつ、シグナリングのために（部分において）使用できるペイロードが、（送信機側または波形側において）プリアンブルの後に追加できる。
【０２２２】
実施の形態において、デコーダは、（受信機側またはデコーダ側において）送信された情報を、２つの異なるエリアから取り出し得る。ここでは、コアからの情報は、拡張シーケンスのホッピングパターンおよびホップ長さなどを生成するために（部分において）採用される。
【０２２３】
（別の実施の形態）
図１３は、実施の形態に従う、データを送信する方法２００のフローチャートを示す。方法２００は、周波数ホッピングパターンおよび／または時間ホッピングパターンを使いながら、基準信号と時間同期させて、データを送信するステップ２０２を含む。
【０２２４】
図１４は、データを受信する方法２１０のフローチャートを示す。方法２１０は、周波数ホッピングパターンおよび／または時間ホッピングパターンを使いながら、基準信号と時間同期させて、データを受信するステップ２１２を含む。
【０２２５】
実施の形態において、検出し易いプリアンブルと電文分割方法とが結合される。
実施の形態において、検出し易いいくつかのプリアンブルが結合される。
実施の形態において、シグナリング情報またはペイロードは、検出し易いプリアンブルに導入される。
【０２２６】
実施の形態は、多くのセンサーノードからのデータを１つの基地局に送信するためのシステムを提供する。しかし、仮にチャンネルが調整されない（ＡＬＯＨＡまたはスロットＡＬＯＨＡアクセス方式）ならば、そして従って、受信機が、いつパケットが送信されるかを知らないならば、ここに説明された概念はどんな送信のためにも使われる。さらに、これは、他の参加者との重複を結果として生じ得て、それは、送信の間の干渉を引き起こす。
【０２２７】
この文脈において、使用無線送信帯域が、前記送信のために独占的に確保される必要はない。周波数資源は多くの別のシステムと共有でき、それは、情報の信頼ある送信をより困難にする。
【０２２８】
実施の形態は、古典的な受信機が、電文のより骨が折れる検出を実行する必要は無く、電文分割方法によって拡張できる技術を提供する。ここで、プリアンブルおよびデータのデータ転送速度、変調方法およびプリアンブルの長さに関する様々な組み合わせが適用される。さらに、電文を、コアシーケンスと拡張シーケンスとに分割することも可能であり、コアシーケンスは、他の間で、シグナリングとして使用できる。仮に１つ以上のプリアンブルが送信されるならば、既知のアルゴリズムに比較して、システムの性能はより一層熟練した組み合わせによって改善できる。
【０２２９】
たとえいくつかの側面が装置の文脈内で説明されても、前記側面は、装置のブロックまたは構成要素が、また、対応する方法ステップとして、または、方法ステップの機能として理解されるべきであるように、対応する方法の説明も表している、ことが理解される。それとの類似によって、関連してまたは方法ステップとして説明された面は、また、対応する装置の対応するブロックまたは詳細または機能の説明を表わす。方法ステップのうちのいくつかまたは全てが、例えばマイクロプロセッサー、プログラム可能なコンピュータまたは電子回路などのハードウェア装置により（またはハードウェア装置を使いながら）、実行できる。いくつかの実施の形態において、あるまたはいくつかの最も重要な方法ステップが、そのようなデバイスにより実行される。
【０２３０】
特定の実施要件に依存して、本願発明の実施の形態が、ハードウェアまたはソフトウェアにおいて実装できされる。実装は、デジタル記憶媒体、例えば、それぞれの方法が実行されるようにプログラム可能なコンピュータシステムと協働できる、その上に格納された電子的に読み取り可能な制御信号を持つ、フロッピーディスク、ＤＶＤ、ブルーレイディスク、ＣＤ、ＲＯＭ、ＰＲＯＭ、ＥＰＲＯＭ、ＥＥＰＲＯＭ、フラッシュメモリ、ハードディスク、または、他の磁気または光学メモリを使うことで、達成できる。これは、デジタル記憶媒体がコンピュータ読み込み可能である理由である。
【０２３１】
従って、本願発明に応じたいくつかの実施の形態は、ここに説明されたどんな方法でも実行されるように、プログラム可能なコンピュータシステムと協働することができる電子的に読み取り可能な制御信号を含む、データキャリアを含む。
【０２３２】
一般に、本願発明の実施の形態は、コンピュータプログラム製品がコンピュータで実行されるときに、どんな方法でも実行するために効果的であるプログラムコードを持つコンピュータプログラム製品として実装できる。
【０２３３】
プログラムコードは、また、例えば機械可読キャリアに格納できる。
【０２３４】
他の実施の形態は、ここに説明されたどんな方法でも実行するためのコンピュータプログラムを含み、前記コンピュータプログラムは、機械可読キャリアに格納される。
【０２３５】
換言すれば、本願発明の方法の実施の形態は、コンピュータプログラムがコンピュータで実行されるときに、ここに説明されたどんな方法でも実行するためのプログラムコードを持つコンピュータプログラムである。
【０２３６】
従って、本願発明の方法の別の実施の形態は、ここで説明されたどんな方法でも実行するためのコンピュータプログラムが記録されるデータキャリア（またはデジタル記憶媒体またはコンピュータ可読媒体）である。データキャリア、デジタル記憶媒体またはコンピュータ可読媒体は、一般に、有形および／または非一過性および／または非一時性である。
【０２３７】
従って、本願発明の方法の別の実施の形態は、ここに説明されたどんな方法でも実行するためのコンピュータプログラムを表すデータストリームまたは信号シーケンスである。データストリームまたは信号シーケンスは、例えば、データ通信リンクを介して、例えばインターネットを介して送信されるように構成できる。
【０２３８】
別の実施の形態は、例えば、ここに説明されたどんな方法でも実行するように構成または適合された、処理ユニット、コンピュータまたはプログラム可能な論理デバイスを含む。
【０２３９】
別の実施の形態は、ここに説明されたどんな方法でも実行するためのコンピュータプログラムがインストールされるコンピュータを含む。
【０２４０】
本願発明による別の実施の形態は、ここに記載された方法のうちの少なくとも１つを実行するためのコンピュータプログラムをレシーバに送信するように構成された装置またはシステムを含む。送信は、例えば、電子式または光学式である。受信機は、例えば、コンピュータ、携帯装置、メモリ装置または同様の装置であり得る。装置またはシステムは、例えば、コンピュータプログラムをレシーバに送信するためのファイルサーバーを含む。
【０２４１】
いくつかの実施の形態において、プログラム化可能な論理デバイス（例えば、フィールドプログラム化可能なゲートアレイ、ＦＰＧＡ）は、ここに説明された方法の機能のうちのいくつかまたは全てを実行するために使用できる。いくつかの実施の形態において、フィールドプログラム化可能なゲートアレイは、ここに説明されたどんな方法でも実行するために、マイクロプロセッサーと協働できる。一般に、方法は、いくつかの実施の形態において、どのようなハードウェア装置によっても実行される。前記ハードウェア装置は、コンピュータプロセッサ（ＣＰＵ）またはグラフィックスカード（ＧＰＵ）などのどのような汎用ハードウェアでもある、または、ＡＳＩＣなどの方法に特有なハードウェアである。
【０２４２】
例えば、ここに説明された装置は、ハードウェア装置を使うことによって、または、コンピュータを使うことによって、または、ハードウェア装置とコンピュータとの結合を使うことによって実装できる。
【０２４３】
ここに説明した装置、または、ここに説明された装置のどのような組成物でも、少なくとも部分的にハードウェアまたはソフトウェア（コンピュータプログラム）の実装であるかもしれない。
【０２４４】
例えば、ここに説明された方法は、ハードウェア装置を使うこと、またはコンピュータを使うこと、またはハードウェア装置とコンピュータとの結合を使うことによって実施される。
【０２４５】
ここに説明された方法、または、ここに説明された装置のどのような要素でも、ハードウェアまたはソフトウェアによって少なくとも部分的に実行され得る。
【０２４６】
上で説明された実施の形態は、本発明の原則の説明を単に表している。ここに説明された配置と詳細の修正とバリエーションが当業者に明白であることは理解される。これは、本願発明が実施の形態の説明と議論によってここに提供された特定された詳細というよりも、以下の請求項の範囲だけにより制限されることが意図される理由である。
【符号の説明】
【０２４７】
１００  データ送信機
１１０  データ受信機
１２０  データ
１３０  基準信号
１３０＿１〜１３０＿３  プリアンブル
１４０  周波数ホッピングパターン、時間ホッピングパターン
１４２；１４４  データパケット
１５２  別のデータ
【図１】
2019536390.tif 000003
【図２】
2019536390.tif 000004
【図３】
2019536390.tif 000005
【図４】
2019536390.tif 000006
【図５】
2019536390.tif 000007
【図６】
2019536390.tif 000008
【図７】
2019536390.tif 000009
【図８】
2019536390.tif 000010
【図９】
2019536390.tif 000011
【図１０】
2019536390.tif 000012
【図１１】
2019536390.tif 000013
【図１２】
2019536390.tif 000014
【図１３】
2019536390.tif 000015
【図１４】
2019536390.tif 000016
【手続補正書】
【提出日】平成30年11月14日(2018.11.14)
【手続補正１】
【補正対象書類名】特許請求の範囲
【補正対象項目名】全文
【補正方法】変更
【補正の内容】
【特許請求の範囲】
【請求項１】
データ（１２０）を、周波数ホッピングパターン（１４０）および／または時間ホッピングパターン（１４０）を使いながら、基準信号（１３０）と時間同期させて送信するように構成され、
前記基準信号（１３０）はプリアンブルであり、
前記プリアンブルは１つの周波数で一括して送信される、データ送信機（１００）。
【請求項２】
前記データ送信機（１００）は、前記プリアンブルと共に別のデータを一括して送信するように構成される、請求項１に記載のデータ送信機（１００）。
【請求項３】
前記データ（１２０）がプリアンブルシンボルを含む、請求項１または請求項２に記載のデータ送信機（１００）。
【請求項４】
前記データ送信機（１００）は、さらに、前記データ（１２０）を、前記周波数ホッピングパターン（１４０）および／または時間ホッピングパターン（１４０）を使いながら、前記基準信号（１３０）と周波数同期させて送信するように構成される、請求項１〜請求項３のいずれか１つに記載のデータ送信機（１００）。
【請求項５】
前記データ（１２０）は少なくとも２つのデータパケット（１４２；１４４）を含み、前記データ送信機（１００）は、前記周波数ホッピングパターン（１４０）および／または時間ホッピングパターン（１４０）に従って前記少なくとも２つのデータパケット（１４２；１４４）を送出するように構成される、請求項１〜請求項４のいずれか１つに記載のデータ送信機（１００）。
【請求項６】
前記データ（１２０）が電文であり、前記データ送信機（１００）は、前記電文を前記少なくとも２つのデータパケット（１４２；１４４）に分割するように構成され、前記少なくとも２つのデータパケット（１４２；１４４）のそれぞれは前記電文より短い、請求項５に記載のデータ送信機（１００）。
【請求項７】
前記データ送信機（１００）は前記基準信号（１３０）自体を送信するように構成され、前記基準信号（１３０）はプリアンブルであり、
前記データ送信機（１００）は、前記プリアンブルが、前記受信機側において、完全な検出のために適するように、前記プリアンブル（１３０）を送出するように構成される、請求項１〜請求項６のいずれか１つに記載のデータ送信機（１００）。
【請求項８】
前記データ送信機（１００）は、前記プリアンブル（１３０）を一括して送出するように構成される、請求項７に記載のデータ送信機（１００）。
【請求項９】
前記データ送信機（１００）は、前記データ（１２０）の前に前記プリアンブル（１３０）を送出するように構成される、請求項７または請求項８に記載のデータ送信機（１００）。
【請求項１０】
前記データ送信機（１００）は、前記データ（１２０）のために使われたデータ転送速度より低いデータ転送速度で、前記プリアンブル（１３０）を送信するように構成される、請求項７〜請求項９のいずれか１つに記載のデータ送信機（１００）。
【請求項１１】
前記データ送信機（１００）は、前記データ（１２０）のために使われた変調タイプまたは変調方法とは異なる変調タイプまたは変調方法によって、前記プリアンブル（１３０）を送出するように構成される、請求項７〜請求項１０のいずれか１つに記載のデータ送信機（１００）。
【請求項１２】
前記データ送信機（１００）は、前記プリアンブル（１３０）と共に別のデータ（１５２）を送出するように構成される、請求項７〜請求項１１のいずれか１つに記載のデータ送信機（１００）。
【請求項１３】
前記プリアンブルと共に送信された前記別のデータ（１５２）の少なくとも一部分は、前記データ（１２０）の前記周波数ホッピングパターン（１４０）および／または時間ホッピングパターン（１４０）に関する情報を含む、請求項１２に記載のデータ送信機（１００）。
【請求項１４】
前記基準信号（１３０）は、少なくとも２つのプリアンブル（１３０＿１：１３０＿３）を含む、請求項７〜請求項１３のいずれか１つに記載のデータ送信機（１００）。
【請求項１５】
前記データ送信機（１００）は、前記同じプリアンブルを少なくとも２回送出するように構成される、請求項１４に記載のデータ送信機（１００）。
【請求項１６】
前記データ送信機（１００）は、異なる変調タイプまたは変調方法と共に、前記少なくとも２つのプリアンブル（１３０＿１：１３０＿３）を送出するように構成される、請求項１４または請求項１５に記載のデータ送信機（１００）。
【請求項１７】
前記データ送信機（１００）は、異なるデータ送信速度で、前記少なくとも２つのプリアンブル（１３０＿１：１３０＿３）を送出するように構成される、請求項１４〜請求項１６のいずれか１つに記載のデータ送信機（１００）。
【請求項１８】
前記データ送信機（１００）は、前記少なくとも２つのプリアンブル（１３０＿１：１３０＿３）が、前記受信機側でそれぞれの場合において完全な検出に適するように、前記少なくとも２つのプリアンブル（１３０＿１：１３０＿３）を送出するように構成される、請求項１４〜請求項１７のいずれか１つに記載のデータ送信機（１００）。
【請求項１９】
前記データ送信機（１００）は、前記少なくとも２つのプリアンブル（１３０＿１：１３０＿３）のうちの第１のプリアンブル（１３０＿１）が、前記受信機側で粗い検出にだけ適するように、かつ、前記少なくとも２つのプリアンブル（１３０＿１：１３０＿３）のうちの第２のプリアンブル（１３０＿２）が、前記受信機側で完全な検出に適するように、前記少なくとも２つのプリアンブル（１３０＿１：１３０＿３）を送出するように構成される、請求項１４〜請求項１７のいずれか１つに記載のデータ送信機（１００）。
【請求項２０】
前記データ送信機（１００）は、前記少なくとも２つのプリアンブル（１３０＿１：１３０＿３）のうちの第１のプリアンブル（１３０＿１）と共に別のデータ（１５２）を送出するように構成され、前記第１のプリアンブル（１３０＿１）と共に送信された前記別のデータ（１５２）は、前記少なくとも２つのプリアンブル（１３０＿１：１３０＿３）のうちの第２のプリアンブル（１３０＿２）に関する情報を含む、請求項１４〜請求項１９のいずれか１つに記載のデータ送信機（１００）。
【請求項２１】
前記少なくとも２つのプリアンブル（１３０＿１：１３０＿３）の間の時間間隔または周波数間隔は、固定的に定義されるか、または、請求項１９に記載された前記別のデータ（１５２）内に含まれた情報によってシグナリングされる、請求項１４〜請求項２０のいずれか１つに記載のデータ送信機（１００）。
【請求項２２】
前記データ送信機（１００）は、前記少なくとも２つのプリアンブル（１３０＿１：１３０＿３）のうちの１つを、少なくとも２つの部分プリアンブルに分離するように、かつ、互いの時間および／または周波数間隔で前記少なくとも２つの部分プリアンブルを送出するように構成される、請求項１４〜請求項２１のいずれか１つに記載のデータ送信機（１００）。
【請求項２３】
前記データ送信機（１００）は、前記少なくとも２つのデータパケット（１４２；１４４）に、前記少なくとも２つの部分プリアンブルを提供するように構成される、請求項６または請求項２２に記載のデータ送信機（１００）。
【請求項２４】
前記データ送信機（１００）は、前記基準信号（１３０）自体を送出するように構成され、前記基準信号（１３０）は時間的に決定論的手法で繰り返される信号である、請求項１〜請求項６のいずれか１つに記載のデータ送信機（１００）。
【請求項２５】
前記データ送信機（１００）は、前記データ（１２０）の前および／または後ろに、前記基準信号（１３０）を送出するように構成される、請求項２４に記載のデータ送信機（１００）。
【請求項２６】
前記データ送信機（１００）は、前記基準信号（１３０）の送出が、前記データ（１２０）の送信によって重複しないように、前記データ（１２０）の間に少なくとも部分的に、前記基準信号（１３０）を送出するように構成される、請求項２４または請求項２５に記載のデータ送信機（１００）。
【請求項２７】
前記データ送信機（１００）は、前記データ（１２０）のために使われたデータ転送速度と異なるデータ転送速度で、前記基準信号（１３０）を送出するように構成される、請求項２４〜請求項２６のいずれか１つに記載のデータ送信機（１００）。
【請求項２８】
前記データ送信機（１００）は、前記データ（１２０）のために使われた変調タイプまたは変調方法とは異なる変調タイプまたは変調方法で、前記基準信号（１３０）を送出するように構成される、請求項２４〜請求項２７のいずれか１つに記載のデータ送信機（１００）。
【請求項２９】
前記データ送信機（１００）は、前記基準信号（１３０）と共に別のデータ（１５２）を送信するように構成される、請求項２４〜請求項２８のいずれか１つに記載のデータ送信機（１００）。
【請求項３０】
前記基準信号（１３０）と共に送信された前記別のデータ（１５２）の少なくとも一部分は、前記データ（１２０）の前記周波数ホッピングパターン（１４０）および／または時間ホッピングパターン（１４０）に関する情報を含む、請求項２９に記載のデータ送信機（１００）。
【請求項３１】
前記データ送信機（１００）は、異なるデータ送信機（１００）から前記基準信号（１３０）を受信するように構成された受信機を含む、請求項１〜請求項５のいずれか１つに記載のデータ送信機（１００）。
【請求項３２】
前記基準信号（１３０）は、時間的に決定論的手法で繰り返される信号である、請求項３１に記載のデータ送信機（１００）。
【請求項３３】
前記周波数ホッピングパターン（１４０）は、前記データ（１２０）が送信されるべき、送信周波数のシーケンスまたは送信周波数ホップを定義する、請求項１〜請求項３２のいずれか１つに記載のデータ送信機（１００）。
【請求項３４】
前記時間ホッピングパターン（１４０）は、前記データ（１２０）が送信されるべき、送信時間のシーケンスまたは送信時間間隔を定義する、請求項１〜請求項３３のいずれか１つに記載のデータ送信機（１００）。
【請求項３５】
前記データ送信機（１００）は、より高いコード利得が、前記受信機側で、チャンネル符号化されたデータを結合することによって達成されるように、前記データ（１２０）をチャンネル符号化し、かつ、少なくとも前記チャンネル符号化されたデータの少なくとも一部分を２回送信するように構成される、請求項１〜請求項３４のいずれか１つに記載のデータ送信機（１００）。
【請求項３６】
基準信号（１３０）と時間同期させて、周波数ホッピングパターン（１４０）および／または時間ホッピングパターン（１４０）を使いながら、データ（１２０）を受信するか、または、バッファから前記データ（１２０）を取り出すように構成され、
前記基準信号（１３０）はプリアンブルであり、
前記プリアンブルは１つの周波数で一括して送信される、データ受信機（１１０）。
【請求項３７】
前記データ受信機（１１０）は、さらに、前記基準信号（１３０）と周波数同期させて、前記周波数ホッピングパターン（１４０）および／または時間ホッピングパターン（１４０）を使いながら、前記データ（１２０）を受信するか、または、前記バッファから前記データ（１２０）を取り出すように構成される、請求項３６に記載のデータ受信機（１１０）。
【請求項３８】
前記データ（１２０）は少なくとも２つのデータパケット（１４２；１４４）を含み、前記データ受信機（１１０）は、前記周波数ホッピングパターン（１４０）および／または時間ホッピングパターン（１４０）に従って、前記少なくとも２つのデータパケット（１４２；１４４）を受信するか、または、前記バッファから前記少なくとも２つのデータパケット（１４２；１４４）を取り出すように構成される、請求項３６または請求項３７に記載のデータ受信機（１１０）。
【請求項３９】
前記データ（１２０）は、前記少なくとも２つのデータパケット（１４２；１４４）に分割される電文であり、前記少なくとも２つのデータパケットのそれぞれは電文より短く、
前記データ受信機（１１０）は、前記電文を得るために、前記少なくとも２つのデータパケット（１４２；１４４）を結合するように構成される、請求項３８に記載のデータ受信機（１１０）。
【請求項４０】
前記基準信号（１３０）がプリアンブルである、請求項３６〜請求項３９のいずれか１つに記載のデータ受信機（１１０）。
【請求項４１】
前記プリアンブル（１３０）は、別のデータ（１５２）と共に受信されるかまたは前記バッファから取り出される、請求項４０に記載のデータ受信機（１１０）。
【請求項４２】
前記プリアンブル（１３０）と共に受信されるかまたは前記バッファから取り出される前記別のデータ（１５２）は、前記周波数ホッピングパターン（１４０）および／または時間ホッピングパターン（１４０）に関する情報を含み、
前記データ受信機（１１０）は、前記周波数ホッピングパターン（１４０）および／または時間ホッピングパターン（１４０）に関する情報を使いながら、前記データ（１２０）を受信するか、または、前記データ（１２０）を前記バッファから取り出すように構成される、請求項４１に記載のデータ受信機（１１０）。
【請求項４３】
前記基準信号（１３０）は２つのプリアンブル（１３０＿１：１３０＿３）を含む、請求項４０〜請求項４２のいずれか１つに記載のデータ受信機（１１０）。
【請求項４４】
前記少なくとも２つのプリアンブル（１３０＿１：１３０＿３）のうちの第１のプリアンブル（１３０＿１）が粗い検出に適し、前記少なくとも２つのプリアンブル（１３０＿１：１３０＿３）のうちの第２のプリアンブル（１３０＿２）が完全な検出に適し、
前記データ受信機（１１０）は、前記第１のプリアンブル（１３０＿１）を使いながら粗い検出を実行し、かつ、前記第２のプリアンブル（１３０＿２）を使いながら完全な検出を実行するように構成される、請求項４３に記載のデータ受信機（１１０）。
【請求項４５】
別のデータ（１５２）は、前記少なくとも２つのプリアンブル（１３０＿１：１３０＿３）のうちの第１のプリアンブル（１３０＿１）と共に、受信されるか、または、前記バッファから取り出され、前記別のデータ（１５２）は、前記少なくとも２つのプリアンブル（１３０＿１：１３０＿３）のうちの第２のプリアンブル（１３０＿２）に関する情報を含み、
前記データ受信機（１１０）は、受信データストリームの中の前記第２のプリンブル（１３０＿２）に関する情報を使いながら、前記第２のプリアンブル（１３０＿２）を検出するように構成される、請求項４３または請求項４４に記載のデータ受信機（１１０）。
【請求項４６】
前記少なくとも２つのプリアンブル（１３０＿１：１３０＿３）の間の時間間隔または周波数間隔は、固定的に定義されるか、または、請求項４５に記載の前記別のデータ（１５２）内に含まれた前記情報によってシグナリングされる、請求項４３〜請求項４５のいずれか１つに記載のデータ受信機（１１０）。
【請求項４７】
前記少なくとも２つのプリアンブル（１３０＿１：１３０＿３）のそれぞれは、完全な検出に適し、
前記データ受信機（１１０）は、前記少なくとも２つのプリアンブル（１３０＿１：１３０＿３）のうちの１つの成功している完全な検出の場合には、直ちに前記データ（１２０）を受信するように構成され、
前記データ受信機（１１０）は、前記少なくとも２つのプリアンブル（１３０＿１：１３０＿３）のうちの１つの成功していない完全な検出の場合には、前記少なくとも２つのプリアンブル（１３０＿１：１３０＿３）のうちの別のプリアンブルの検出を実行するように構成され、
前記データ受信機（１１０）は、前記少なくとも２つのプリアンブル（１３０＿１：１３０＿３）のうちの成功していない完全な検出の場合には、検出を実行するために、前記少なくとも２つのプリアンブル（１３０＿１：１３０＿３）のうちの前記少なくとも２つのプリアンブルを結合するように構成される、請求項４３〜請求項４６のいずれか１つに記載のデータ受信機（１１０）。
【請求項４８】
前記データ受信機（１１０）は前記基準信号（１３０）自体を送信するように構成される、請求項３６〜請求項４７のいずれか１つに記載のデータ受信機（１１０）。
【請求項４９】
前記基準信号（１３０）は時間的に決定論的手法で繰り返される信号である、請求項４８に記載のデータ受信機（１１０）。
【請求項５０】
請求項１〜請求項３５のいずれか１つに記載のデータ送信機（１００）と、
請求項３６〜請求項４９のいずれか１つに記載のデータ受信機（１１０）とを含む、システム。
【請求項５１】
データを送信する方法（２００）であって、
基準信号と時間同期させて、周波数ホッピングパターンおよび／または時間ホッピングパターンを使いながら、データを送信するステップ（２０２）を含み、
前記基準信号（１３０）はプリアンブルであり、
前記プリアンブルは１つの周波数で一括して送信される、方法（２００）。
【請求項５２】
データを受信する方法（２１０）であって、
基準信号と時間同期させて、周波数ホッピングパターンおよび／または時間ホッピングパターンを使いながら、データを受信するステップ（２１２）を含み、
前記基準信号（１３０）はプリアンブルであり、
前記プリアンブルは１つの周波数で一括して送信される、方法（２１０）。
【請求項５３】
請求項５１または請求項５２に記載の方法を実行するためのコンピュータプログラム。
【請求項５４】
データおよびプリアンブルを送信するように構成されたセンサーノードであって、
前記センサーノードは、プリアンブルのために使われた送信方法とは異なる送信方法によって、前記データを送出するように構成され、
前記センサーノードは、基準信号と時間同期させて、周波数ホッピングパターンおよび／または時間ホッピングパターンを使いながら、前記データを送信するように構成され、
前記センサーノードは、周波数ホッピングパターンを使うこと無く、前記プリアンブルを一括して送信するように構成される、センサーノード。
【手続補正書】
【提出日】令和1年6月26日(2019.6.26)
【手続補正１】
【補正対象書類名】特許請求の範囲
【補正対象項目名】全文
【補正方法】変更
【補正の内容】
【特許請求の範囲】
【請求項１】
データ（１２０）を、周波数ホッピングパターン（１４０）および／または時間ホッピングパターン（１４０）を使いながら、基準信号（１３０）と時間同期させて送信するように構成されるデータ送信機（１００）であって、
前記基準信号（１３０）はプリアンブルであり、
前記プリアンブルは１つの周波数で一括して送信される、データ送信機（１００）。
【請求項２】
前記データ送信機（１００）は、前記プリアンブルと共に別のデータを一括して送信するように構成される、請求項１に記載のデータ送信機（１００）。
【請求項３】
前記データ（１２０）がプリアンブルシンボルを含む、請求項１または請求項２に記載のデータ送信機（１００）。
【請求項４】
前記データ送信機（１００）は、さらに、前記周波数ホッピングパターン（１４０）および／または時間ホッピングパターン（１４０）を使いながら、前記基準信号（１３０）と周波数同期させて前記データ（１２０）を送信するように構成される、請求項１〜請求項３のいずれか１つに記載のデータ送信機（１００）。
【請求項５】
前記データ（１２０）は少なくとも２つのデータパケット（１４２；１４４）を含み、前記データ送信機（１００）は、前記周波数ホッピングパターン（１４０）および／または時間ホッピングパターン（１４０）に従って前記少なくとも２つのデータパケット（１４２；１４４）を送出するように構成される、請求項１〜請求項４のいずれか１つに記載のデータ送信機（１００）。
【請求項６】
前記データ送信機（１００）は前記基準信号（１３０）自体を送出するように構成され、前記基準信号（１３０）はプリアンブルであり、
前記データ送信機（１００）は、受信機側において、前記プリアンブルが完全な検出に適するように、前記プリアンブル（１３０）を送出するように構成される、請求項１〜請求項５のいずれか１つに記載のデータ送信機（１００）。
【請求項７】
前記データ送信機（１００）は、前記データ（１２０）の前に前記プリアンブル（１３０）を送出するように構成される、請求項６に記載のデータ送信機（１００）。
【請求項８】
前記データ送信機（１００）は、前記データ（１２０）について使用されるデータ転送速度より低いデータ転送速度で前記プリアンブル（１３０）を送出するように構成される、請求項６または請求項７に記載のデータ送信機（１００）。
【請求項９】
前記データ送信機（１００）は、前記データ（１２０）について使用される変調タイプまたは変調方法とは異なる変調タイプまたは変調方法によって、前記プリアンブル（１３０）を送出するように構成される、請求項６〜請求項８のいずれか１つに記載のデータ送信機（１００）。
【請求項１０】
前記データ送信機（１００）は、前記プリアンブル（１３０）と共に別のデータ（１５２）を送信するように構成される、請求項６〜請求項９のいずれか１つに記載のデータ送信機（１００）。
【請求項１１】
前記プリアンブルと共に送信された前記別のデータ（１５２）の少なくとも一部分は、前記データ（１２０）の前記周波数ホッピングパターン（１４０）および／または時間ホッピングパターン（１４０）に関する情報を含む、請求項１０に記載のデータ送信機（１００）。
【請求項１２】
前記データ送信機（１００）は、異なるデータ送信機（１００）から前記基準信号（１３０）を受信するように構成される受信機を含む、請求項１〜請求項５のいずれか１つに記載のデータ送信機（１００）。
【請求項１３】
周波数ホッピングパターン（１４０）および／または時間ホッピングパターン（１４０）を使いながら、データ（１２０）を基準信号（１３０）と時間同期させて受信する、または、バッファから取り出すように構成されるデータ受信機（１１０）であって、
前記基準信号（１３０）はプリアンブルであり、
前記プリアンブルは１つの周波数で一括して送信される、データ受信機（１１０）。
【請求項１４】
前記データ受信機（１１０）はさらに、前記周波数ホッピングパターン（１４０）および／または時間ホッピングパターン（１４０）を使いながら、前記データ（１２０）を前記基準信号（１３０）と周波数同期させて受信する、または、前記バッファから取り出すように構成される、請求項１３に記載のデータ受信機（１１０）。
【請求項１５】
前記データ（１２０）は少なくとも２つのデータパケット（１４２；１４４）を含み、前記データ受信機（１１０）は、前記周波数ホッピングパターン（１４０）および／または時間ホッピングパターン（１４０）に従って、前記少なくとも２つのデータパケット（１４２；１４４）を受信する、または、前記バッファから取り出すように構成される、請求項１３または請求項１４に記載のデータ受信機（１１０）。
【請求項１６】
前記プリアンブル（１３０）は、別のデータ（１５２）と共に受信される、または前記バッファから取り出される、請求項１３〜請求項１５のいずれかに記載のデータ受信機（１１０）。
【請求項１７】
前記プリアンブル（１３０）と共に受信される、または前記バッファから取り出される前記別のデータ（１５２）は、前記周波数ホッピングパターン（１４０）および／または時間ホッピングパターン（１４０）に関する情報を含み、
前記データ受信機（１１０）は、前記周波数ホッピングパターン（１４０）および／または時間ホッピングパターン（１４０）に関する情報を使いながら、前記データ（１２０）を受信する、または前記バッファから取り出すように構成される、請求項１６に記載のデータ受信機（１１０）。
【請求項１８】
前記データ受信機（１１０）は前記基準信号（１３０）自体を送出するように構成される、請求項１３〜請求項１７のいずれか１つに記載のデータ受信機（１１０）。
【請求項１９】
請求項１〜請求項１２のいずれか１つに記載のデータ送信機（１００）と、
請求項１３〜請求項１８のいずれか１つに記載のデータ受信機（１１０）とを含む、システム。
【請求項２０】
データを送信する方法（２００）であって、
周波数ホッピングパターンおよび／または時間ホッピングパターンを使いながら、データを基準信号と時間同期させて送信するステップ（２０２）を含み、
前記基準信号（１３０）はプリアンブルであり、
前記プリアンブルは１つの周波数で一括して送信される、方法（２００）。
【請求項２１】
データを受信する方法（２１０）であって、
周波数ホッピングパターンおよび／または時間ホッピングパターンを使いながら、データを基準信号と時間同期させて受信するステップ（２１２）を含み、
前記基準信号（１３０）はプリアンブルであり、
前記プリアンブルは１つの周波数で一括して送信される、方法（２１０）。
【請求項２２】
請求項２０または請求項２１に記載の方法を実行するためのコンピュータプログラム。
【請求項２３】
データおよびプリアンブルを送信するように構成されたセンサーノードであって、
前記センサーノードは、前記プリアンブルについて使用された送信方法とは異なる送信方法によって、前記データを送出するように構成され、
前記センサーノードは、周波数ホッピングパターンおよび／または時間ホッピングパターンを使いながら、前記データを前記基準信号と時間同期させて送信するように構成され、
前記センサーノードは、周波数ホッピングパターンを使うこと無く、前記プリアンブルを一括して送信するように構成される、センサーノード。
【国際調査報告】
2019536390.tif 000017
2019536390.tif 000018
2019536390.tif 000019
2019536390.tif 000020
2019536390.tif 000021
2019536390.tif 000022